(57)【要約】【課題】容易に情報を作成可能な情報処理システムを提供する。【解決手段】  情報処理システムの編集端末装置２００のファイル作成手段は、テンプレート情報の配置モジュール情報と関連付けられるモジュール情報を認識して、このテンプレート情報の配置座標位置に対応する座標位置に関連付けられたモジュール情報のモジュール内容情報が組み込んだＷｅｂファイルを生成する。これにより、予め用意されたモジュール情報を用いて容易にＷｅｂファイルを作成することができる。【選択図】  図２
2006293763.tif 000002
【特許請求の範囲】
【請求項１】
コンテンツの内容に関する内容情報を認識する内容情報認識手段と、
前記内容情報を組み込む情報組込枠に関する組込枠情報を少なくとも１つ有する複数のテンプレート情報を認識するテンプレート認識手段と、
前記組込枠情報の情報組込枠に組み込む前記内容情報を選択するとともに、この組込枠情報に前記選択された内容情報を関連付ける情報関連付け手段と、
前記テンプレート情報およびこれらのテンプレート情報の前記組込枠情報に関連付けられた前記内容情報に基づいて、前記組込枠情報に関連付けられる前記内容情報の内容を前記情報組込枠に組み込んで合成し１つのデータとして構成されるコンテンツ情報を、各テンプレート情報に対応して生成する情報生成手段と、
を具備したことを特徴とした情報処理装置。
【請求項２】
請求項１に記載の情報処理装置であって、
前記情報生成手段は、前記複数のテンプレート情報に対応する複数の前記コンテンツ情報を一度に生成する
ことを特徴とした情報処理装置。
【請求項３】
請求項１または請求項２に記載の情報処理装置であって、
前記内容関連付け手段は、複数の前記内容情報を前記組込枠情報に関連付け、
前記情報生成手段は、前記情報組込枠に複数の前記内容情報を組み込んで１つのデータとして構築した前記コンテンツ情報を生成する
ことを特徴とした情報処理装置。
【請求項４】
請求項１ないし請求項３のいずれかに記載の情報処理装置であって、
入力操作可能に設けられ、前記入力操作に応じて操作信号を出力する操作手段を具備し、
前記情報関連付け手段は、前記操作手段の操作信号に応じて、前記内容情報を前記テンプレート情報の前記組込枠情報に関連付ける
ことを特徴とした情報処理装置。
【請求項５】
請求項４に記載の情報処理装置であって、
前記操作手段の操作信号に応じて前記内容情報を編集する内容情報編集手段を備え、
前記情報生成手段は、前記内容情報編集手段にて編集された内容情報、およびこの内容情報に関連付けられる前記組込枠情報を有するテンプレート情報に基づいて、前記コンテンツ情報を生成する
ことを特徴とした情報処理装置。
【請求項６】
請求項４または請求項５に記載の情報処理装置であって、
前記操作手段の操作信号に応じて前記テンプレート情報の前記情報組枠の配置を編集するテンプレート編集手段を備え、
前記情報生成手段は、前記テンプレート編集手段にて編集されたテンプレート情報、およびこのテンプレート情報の前記組込枠情報に関連付けられる前記内容情報に基づいて、前記コンテンツ情報を生成する
ことを特徴とした情報処理装置。
【請求項７】
請求項１ないし請求項６のいずれかに記載の情報処理装置であって、
前記情報生成手段にて生成された前記コンテンツ情報を表示手段に表示させる制御をする表示制御手段を具備した
ことを特徴とした情報処理装置。
【請求項８】
請求項７に記載の情報処理装置であって、
前記表示制御手段は、前記表示手段の表示領域を分割するとともに、これらの分割された表示領域にそれぞれ前記複数のテンプレート情報が一覧表示されるテンプレート一覧表示画像と、前記モジュール情報が一覧表示されるモジュール一覧表示画像と、前記コンテンツ情報が表示されるコンテンツ表示画像と、を表示させる制御をする
ことを特徴とした情報処置装置。
【請求項９】
請求項８に記載の情報処理装置であって、
前記組込枠情報は、前記情報組込枠が配置される位置座標に関する位置座標情報を有し、
前記表示制御手段は、前記コンテンツ表示画面、および前記位置座標情報に応じて前記情報組込枠が所定の座標位置に表示されるテンプレート表示画面を切り替えてどちらか一方を表示させる制御をする
ことを特徴とした情報処理装置。
【請求項１０】
請求項１ないし請求項９のいずれかに記載の情報処置装置であって、
前記コンテンツ情報はネットワーク上で閲覧可能なＷｅｂページを構築するＷｅｂファイルであり、
前記情報生成手段は、前記テンプレート情報およびこのテンプレート情報の前記組込枠情報に関連付けられる前記内容情報に基づいて、所定の文書記述言語の命令タグ情報を用いて前記Ｗｅｂファイルを生成する
ことを特徴とした情報処理装置。
【請求項１１】
請求項１０に記載の情報処理装置であって、
前記情報生成手段は、前記組込枠情報の情報組込枠に応じた形状のテーブル枠を構築するテーブルタグ情報を用いて、このテーブルタグ情報にて構築されるテーブル枠に前記内容情報を組み込んで１つのデータ構造としたＷｅｂファイルを生成する
ことを特徴とした情報処理装置。
【請求項１２】
請求項１ないし請求項１１のいずれかに記載の情報処理装置を備えた編集装置と、
前記編集装置にネットワークを介して接続可能に設けられるとともに、前記編集装置から送信される前記コンテンツ情報をネットワークを介して閲覧可能に記憶する記憶手段を有するサーバ装置と、
を具備したことを特徴とした情報処理システム。
【請求項１３】
請求項１２に記載の情報処理システムであって、
前記編集装置の前記情報生成手段は、前記コンテンツ情報を作成すると同時に前記サーバ装置に作成した前記コンテンツ情報を送信する
ことを特徴とした情報処理システム。
【請求項１４】
請求項１ないし請求項１１のいずれかに記載の情報処理装置を備えたサーバ装置と、
前記サーバ装置にネットワークを介して接続可能に設けられるとともに、前記テンプレート情報および前記内容情報を前記サーバ装置に送信する通信手段と、
を具備したことを特徴とした情報処理システム。
【請求項１５】
コンテンツの内容に関する内容情報を認識し、
前記内容情報を組み込む情報組込枠に関する組込枠情報を少なくとも１つ有する複数のテンプレート情報を認識し、
前記組込枠情報の情報組込枠に組み込む前記内容情報を選択するとともに、この組込枠情報に前記選択された内容情報を関連付け、
前記テンプレート情報およびこれらのテンプレート情報の前記組込枠情報に関連付けられた前記内容情報に基づいて、前記組込枠情報に関連付けられる前記内容情報の内容を前記情報組込枠に組み込んで合成し１つのデータとして構成されるコンテンツ情報を、各テンプレート情報に対応して生成する
ことを特徴とする情報処理方法。
【請求項１６】
演算手段を請求項１ないし請求項１１のいずれかに記載の情報処理装置として機能させる
ことを特徴とした情報処理プログラム。
【請求項１７】
請求項１５または請求項１６に記載の情報処理方法を演算手段に実施させる
ことを特徴とした情報処理プログラム。
【請求項１８】
請求項１６または請求項１７に記載の処理プログラムが演算手段にて読取可能に記録された
ことを特徴とした情報処理プログラムを記録した記録媒体。
【発明の詳細な説明】
【技術分野】
【０００１】
本発明は、情報を処理する情報処理装置、情報処理システム、情報処理方法、情報処理プログラム、情報処理プログラムを記録した記録媒体に関する。
【背景技術】
【０００２】
従来、Ｗｅｂページを作成するアプリケーションなどのソフトウェアが知られている（特許文献１参照）。
【０００３】
この特許文献１に記載のものは、インターネットを介してウェッブ（Ｗｅｂ）ページにアクセスする編集者端末および利用者端末、Ｗｅｂページの編集を実行するためのソフトウェアを搭載したＷｅｂページ編集用Ｗｅｂサーバ、およびＷｅｂサーバとして機能するためのソフトウェアを搭載した本番用Ｗｅｂサーバとを備えている。そして、Ｗｅｂページの新規作成、修正などの編集作業を行う際には、編集者端末よりシステムにログインし、編集画面を表示させる。そして、この編集画面の編集対象選択領域をクリックすることにより、対象となるページを選択し、選択操作領域にて表示されるテンプレート名一覧から使用するレイアウトテンプレートをクリックして決定する。次に、編集操作領域に一覧表示されるテーブル名の中から１つを選択して、編集イメージ表示領域に表示された複数のテーブルから編集対象とするテーブルを選択し、このテーブルの中でのオブジェクト配置位置を決定する。続いて、テキスト、画像、リンク情報などの配置位置を定義したモジュールテンプレートを選択し、この選択したモジュールテンプレートに情報を流し込んで各テーブルにオブジェクトを組み込む。この後、作成されたＷｅｂページをＨＴＭＬフォーマットに変換してページデータ記憶部に記憶して、一般のインターネットの利用者からのＷｅｂページへのアクセスを可能にする構成が採られている。そして、この構成では、以後Ｗｅｂページを編集する際には、編集対象選択領域にてページ名を選択することで、このＷｅｂページの情報がページデータ記憶部より抽出されて編集可能となる。
【０００４】
【特許文献１】特開２００１−３３１４１０号公報（第３頁左欄ないし第４頁右欄、図１ないし図５参照）
【発明の開示】
【発明が解決しようとする課題】
【０００５】
ところで、特許文献１に記載のような従来の構成では、作成したＷｅｂページを再度編集する際、ページデータ記憶部からＷｅｂページの情報が抽出されて編集される。しかしながら、複数のＷｅｂページで使われているオブジェクト、例えば店名のタイトルなどの表示を変更したい場合など、Ｗｅｂページを１つずつ編集して更新する必要があり、煩雑であるという問題が一例として挙げられる。
【０００６】
本発明は、上記のような問題に鑑みて、容易に情報を作成可能な情報処理装置、そのシステム、その方法、そのプログラム、そのプログラムを記録した記録媒体を提供することを１つの目的とする。
【課題を解決するための手段】
【０００７】
請求項１に記載の発明は、コンテンツの内容に関する内容情報を認識する内容情報認識手段と、前記内容情報を組み込む情報組込枠に関する組込枠情報を少なくとも１つ有する複数のテンプレート情報を認識するテンプレート認識手段と、前記組込枠情報の情報組込枠に組み込む前記内容情報を選択するとともに、この組込枠情報に前記選択された内容情報を関連付ける情報関連付け手段と、前記テンプレート情報およびこれらのテンプレート情報の前記組込枠情報に関連付けられた前記内容情報に基づいて、前記組込枠情報に関連付けられる前記内容情報の内容を前記情報組込枠に組み込んで合成し１つのデータとして構成されるコンテンツ情報を、各テンプレート情報に対応して生成する情報生成手段と、
を具備したことを特徴とした情報処理装置である。
【０００８】
請求項１２に記載の発明は、請求項１ないし請求項１１のいずれかに記載の情報処理装置を備えた編集装置と、前記編集装置にネットワークを介して接続可能に設けられるとともに、前記編集装置から送信される前記コンテンツ情報をネットワークを介して閲覧可能に記憶する記憶手段を有するサーバ装置と、を具備したことを特徴とした情報処理システムである。
【０００９】
請求項１４に記載の発明は、請求項１ないし請求項１１のいずれかに記載の情報処理装置を備えたサーバ装置と、前記サーバ装置にネットワークを介して接続可能に設けられるとともに、前記テンプレート情報および前記内容情報を前記サーバ装置に送信する通信手段と、を具備したことを特徴とした情報処理システムである。
【００１０】
請求項１５に記載の発明は、コンテンツの内容に関する内容情報を認識し、前記内容情報が組み込まれる情報組込枠に関する組込枠情報を少なくとも１つ有するテンプレート情報を認識し、前記テンプレート情報の所定の組込枠情報に対応する情報組込枠に組み込む前記内容情報を選択するとともに、選択された前記内容情報を前記組込枠情報に関連付け、前記テンプレート情報およびこれらのテンプレート情報の前記組込枠情報に関連付けられた前記内容情報に基づいて、前記情報組込枠に前記組込枠情報に関連付けられる前記内容情報を組み込んで１つのデータとして構築されるコンテンツ情報を生成することを特徴とする情報処理方法である。
【００１１】
請求項１６に記載の発明は、演算手段を請求項１ないし請求項１１のいずれかに記載の情報処理装置として機能させることを特徴とした情報処理プログラムである。
【００１２】
請求項１７に記載の発明は、請求項１５または請求項１６に記載の情報処理方法を演算手段に実施させることを特徴とした情報処理プログラムである。
【００１３】
請求項１８に記載の発明は、請求項１６または請求項１７に記載の処理プログラムが演算手段にて読取可能に記録されたことを特徴とした情報処理プログラムを記録した記録媒体である。
【発明を実施するための最良の形態】
【００１４】
以下、本発明における一実施の形態を図面に基づいて説明する。
図１は、本発明の一実施の形態に係る情報処理システムの概略構成を示すブロック図である。図２は、情報処理システムを構成する編集端末装置の概略構成を示すブロック図である。図３は、テンプレートテーブルの概略構成を示す模式図である。図４は、モジュールテーブルの概略構成を示す模式図である。図５は、情報処理装置を構成する処理部の概略構成を示す模式図である。図６は、表示部に表示されるテンプレート選択画面の一例を示す模式図である。図７は、表示部に表示されるモジュール編集画面の一例を示す模式図である。図８は、表示部に表示されるプレビュー画面の一例を示す模式図である。図９は、表示部に表示されるＷｅｂ商品受注画面の一例を示す模式図である。図１０は、情報処理装置にて作成されたＷｅｂファイルを表示部にて閲覧した際のＷｅｂトップ画面の一例を示す模式図である。図１１は、図１０において商品が選択された際に表示部に表示されるＷｅｂ商品説明画面の一例を示す模式図である。図１２は、図１１において商品の購入が選択された際に表示部に表示されるＷｅｂ商品購入画面の一例を示す模式図である。図１３は、情報処理システムを構成するサーバ装置の概略構成を示すブロック図である。図１４は、サーバ装置を構成するサーバ処理部の概略構成を示すブロック図である。
【００１５】
〔情報処置システムの構成〕
図１において、１００は情報処理システムであり、この情報処理システム１００は、ネットワーク１１０と、情報処理装置、および編集装置としても機能する編集端末装置２００と、サーバ装置３００と、を備えて構築されている。また、このネットワーク１１０には、複数の端末装置４００が接続されている。そして、この情報処理システム１００は、編集端末装置２００にてコンテンツとしてもＷｅｂページとして閲覧可能な所定の文書記述言語としてのＨＴＭＬ（Hypertext Markup Language）にて記述されたコンテンツ情報としてのＷｅｂファイルを作成してネットワーク１１０を介してサーバ装置３００に送信し、このサーバ装置３００に送信されたＷｅｂファイルを複数の端末装置４００にて閲覧可能にする通信システムである。なお、本実施の形態では、編集端末装置２００にてＷｅｂファイルを作成する例を示すが、これに限定されず、例えばＸＭＬ（eXtensible Markup Language）などの他のウェブ言語やPerl（Practical Extraction and Report Language）などのインタープリタ言語などその他の言語形態で記述されたデータを作成する構成が適用できる。
【００１６】
（編集端末装置の構成）
編集端末装置２００は、インターネット上で商品の売買が可能なオンラインショップのＷｅｂページを表示するためのＨＴＭＬにて記述されたＷｅｂファイルを作成する。なお、本実施の形態ではオンラインショップのＷｅｂページのためのＷｅｂファイルについて説明するが、その他のＷｅｂファイル、例えば個人のホームページのＷｅｂファイルなどを作成するものであってもよく、さらに、ＨＴＭＬにて記述されたＷｅｂファイルに限られず、ＸＭＬファイルなどの他の言語にて記述されるファイルを作成するものであってもよい。また、この編集端末装置２００として、本実施の形態では一例としてパーソナルコンピュータを用いて説明するが、これに限定されず、例えば携帯用電話機器などのモバイル装置、カーナビゲーション装置、ビデオ装置などに適用されてもよい。そして、この編集端末装置２００は、図２に示すように、通信手段２１０と、操作手段としての入力手段２２０と、表示手段としての表示部２３０と、音声出力部２４０と、記憶手段２５０と、メモリ２６０と、処理部２７０と、などを備えている。
【００１７】
通信手段２１０は、ネットワーク１１０を介してサーバ装置３００や端末装置４００と送受信可能に接続される。そして、通信手段２１０は、処理部２７０に接続され、処理部２７０の制御により、ネットワーク１１０を介してサーバ装置３００からＷｅｂファイル、映像情報、および音声情報などの各種情報を取得可能に設けられる。また、通信手段２１０は、取得した各種情報を、処理部２７０に出力する。ここで、ネットワーク１１０としては、例えば、ＴＣＰ／ＩＰなどの汎用のプロトコルに基づくインターネット、イントラネット、ＬＡＮ（Local Area Network）、電話回線などの通信回線網などが例示できる。
【００１８】
入力手段２２０は、例えばキーボードやマウスなどで、入力操作される図示しない各種操作ボタンや操作つまみなどを有している。これらの操作ボタンや操作つまみなどの入力操作は、編集端末装置２００の動作内容の設定や、編集端末装置２００に記憶する情報の設定入力、編集端末装置２００に記憶された情報の更新、などの設定事項の設定入力である。そして、入力手段２２０は、設定事項の入力操作により、設定事項に対応する信号を処理部２７０へ適宜出力して設定入力させる。なお、入力操作としては、操作ボタンや操作つまみなどの操作に限らず、例えば表示部２３０に設けられたタッチパネルによる入力操作や、音声による入力操作などにより、各種設定事項を設定入力する構成としてもできる。
【００１９】
表示部２３０は、処理部２７０にて制御され処理部２７０から入力される画像情報の信号を図示しない表示領域に画面表示させる。画像情報としては、例えばサーバ装置から取得したＷｅｂファイルなどを画像に変換した画像情報、記憶手段２５０やメモリ２６０などから読み取った画像情報、図示しないＴＶ受信機で受信したＴＶ画像情報、外部装置など光ディスクや磁気ディスク、メモリカードなどの記録媒体に記録されドライブやドライバなどにて読み取った画像情報、などである。この表示部２３０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００２０】
音声出力部２４０は、例えば図示しないスピーカなどの発音手段を有する。この音声出力部２４０は、処理部２７０にて制御され、処理部２７０からの音声情報などの各種信号を発音手段から音声により出力する。なお、音声出力部２４０は、例えばＴＶ受信機で受信したＴＶ音声情報や記録媒体さらには記憶手段２５０やメモリ２６０などに記録された音声情報などをも適宜出力可能である。
【００２１】
記憶手段２５０は、例えば図２に示すようなテンプレートテーブル１０や、図３に示すようなモジュールテーブル２０や、図示しないＷｅｂファイルおよびこのＷｅｂにリンクされる画像情報や音声情報、図示しない受注情報や図示しない顧客情報、図示しない転送先設定情報などを格納、すなわち読み出し可能に記憶する。この記憶手段２５０は、図示しない、テンプレートテーブル１０が記憶されるテンプレートテーブル記憶領域と、モジュールテーブル２０が記憶されるモジュール記憶領域と、Ｗｅｂファイルや画像情報、音声情報などが記憶されるファイル記憶領域と、受注情報が記憶される受注情報記憶領域と、顧客情報が記憶される顧客情報記憶領域と、転送先設定情報が記憶される転送先記憶領域と、などを備えている。なお、ここでは、記憶手段２５０が上述した６つの記憶領域を備えた構成について例示したが、これに限らず、例えば記憶手段２５０に上述した記憶領域を備えない構成や、さらに他の記憶領域を備えた構成などとしてもよい。また、記憶手段２５０としては、ＨＤ（Hard Disk）、ＤＶＤ（Digital Versatile Disc）、光ディスク、メモリカードなどの記録媒体に読み出し可能に記憶するドライブやドライバなどを備えた構成などとしてもよい。
【００２２】
ここで、テンプレートテーブル１０は、処理部２７０にてＷｅｂファイルが生成される際のＷｅｂファイルのレイアウトに関する情報である。このテンプレートテーブル１０は、図３に示すように、テンプレートＩＤ情報１２と、テンプレート名情報１３と、テンプレートカテゴリ情報１４と、テンプレートプロパティ情報１５と、レイアウト情報１６と、などを関連付けて１つのデータとして構成されるテンプレート情報１１を複数記録したテーブル構造に構築されている。
【００２３】
テンプレートＩＤ情報１２は、テンプレート情報１１を特定するための固有情報であり、テンプレート情報１１毎に設定される情報である。
【００２４】
テンプレート名情報１３は、テンプレートＩＤ情報１２にて特定されるテンプレート情報１１の名称に関する情報である。このテンプレート名情報１３には、例えば「トップページ」「カテゴリ一覧ページ」といったテキスト形式にてテンプレートの名称が記録される。このテンプレート名情報１３に記録されるテンプレート名は、利用者の入力操作により任意に決定されてもよく、予め設定されているものであってもよい。
【００２５】
テンプレートカテゴリ情報１４は、テンプレートＩＤ情報１２にて特定されるテンプレート情報１１のカテゴリに関する情報である。このテンプレートカテゴリ情報１４には、例えばテキスト形式にて「ショップページテンプレート」「ソフトウェア販売テンプレート」などといったテンプレート情報１１のカテゴリが記録されている。そして、テンプレートテーブル１０に記録される複数のテンプレート情報１１の中で、このテンプレートカテゴリ情報１４が一致するテンプレート情報１１は互いに関連付けられてグループ化される。
【００２６】
テンプレートプロパティ情報１５は、テンプレートＩＤ情報１２にて特定されるテンプレート情報１１のプロパティ情報、つまりテンプレート情報１１の全体的な設定事項や、特性などが記録されている。例えば、テンプレートプロパティ情報１５には、処理部１７０にてテンプレート情報１１に基づいてＷｅｂファイルが作成された際に、Ｗｅｂファイルに配置される後述する内容情報としての各モジュール情報２１の配置位置を左寄せにするか右寄せにするか中央揃えにするかといった情報、各モジュール情報２１の配置間隔、各モジュール情報２１が配置される外部の上下左右の余白の寸法、全体の幅、コラム幅などに関する情報が記録される。なお、テンプレート情報１１が更新された日付や、最後にテンプレート情報１１を参照した日付、テンプレート情報１１を作成した作成者に関する情報などが記録されていてもよい。さらに、Ｗｅｂファイルを作成する際の例えばヘッダタグに記述される内容、すなわち、ＷｅｂファイルをＷｅｂ閲覧用クライアントソフトウェアなどのＷＥＢ表示プログラムで閲覧した際に表示されるタイトル名、表示するテキストのフォーマット形式などが記録されていてもよい。
【００２７】
レイアウト情報１６は、テンプレートＩＤ情報１２に特定されるテンプレート情報１１における各モジュール情報２１の配置に関する情報である。そして、このレイアウト情報１６は、配置ＩＤ情報１７Ａと、位置座標情報としての配置位置座標情報１７Ｂと、組込枠情報としての配置モジュール情報１７Ｃと、などを関連付けて１つのデータを構成する配置位置情報１７を複数備えたテーブル構造に構成されている。
【００２８】
配置ＩＤ情報１７Ａは、配置位置情報１７を特定する固有の情報であり、配置位置情報１７のそれぞれに個別に設けられる情報である。
【００２９】
配置位置座標情報１７Ｂは、配置ＩＤ情報１７Ａにて特定される配置位置情報１７の配置座標に関する情報である。この配置位置座標情報１７Ｂには、例えば、テンプレート情報１１に基づいて作成されるＷｅｂファイルの左上の端点を原点として、モジュール情報２１を配置する位置の左上端点の座標および右下端点の座標が記録されている。
【００３０】
配置モジュール情報１７Ｃは、配置ＩＤ情報１７Ａにて特定される配置位置情報１７の配置位置座標情報１７Ｂで表される座標位置に配置されるモジュール情報２１に関する情報である。この配置モジュール情報１７Ｃは、後述するモジュール情報２１のモジュールＩＤ情報２２に関連付けられた情報が記録されている。そして、処理部１７０によりＷｅｂファイルを作成する際には、この配置モジュール情報１７Ｃと関連付けられるモジュール情報２１が配置位置座標情報１７Ｂにて指定される座標位置に組み込まれたＷｅｂファイルが作成される。なお、この配置モジュール情報１７Ｃには、複数のモジュール情報２１を関連付ける旨の情報が記録されていてもよく、この場合、作成されるＷｅｂファイルのレイアウト枠３４Ａには、複数のモジュール情報２１に対応するモジュール内容情報２５が組み込まれる。
【００３１】
モジュールテーブル２０は、処理部１７０によりＷｅｂファイルを作成する際に、Ｗｅｂファイルの要素を構成する情報が記録されている。このモジュールテーブル２０は、図４に示すように、モジュールＩＤ情報２２と、モジュール名情報２３と、モジュールカテゴリ情報２４と、モジュール内容情報２５と、モジュールプロパティ情報２６と、などを関連付けて１つのデータとして構成されるモジュール情報２１を複数備えたテーブル構造に構築されている。
【００３２】
モジュールＩＤ情報２２は、モジュール情報２１を特定する固有の情報であり、各モジュール情報２１のそれぞれに個別に設定される情報である。また、このモジュールＩＤ情報２２は、前述したようにテンプレート情報１１の配置モジュール情報１７Ｃに関連付けられている。そして、モジュールＩＤ情報２２にて特定されるモジュール情報２１は、このモジュールＩＤ情報２２と関連付けられる配置モジュール情報１７Ｃを有する各テンプレート情報１１に紐付けられる。
【００３３】
モジュール名情報２３は、モジュールＩＤ情報２２にて特定されるモジュール情報２１の名称に関する情報である。このモジュール名情報２３には、例えば「ヘッダ」「フッタ」「メインメニュー」「カテゴリナビゲーション」といった各モジュール情報２１の名称がテキスト形式にて記録されている。
【００３４】
モジュールカテゴリ情報２４は、モジュールＩＤ情報２２にて特定されるモジュール情報２１のカテゴリに関する情報である。このモジュールカテゴリ情報２４には、例えばテキスト形式にて「ヘッダ」「メインメニュー」「リンク」「お勧め商品」などといったモジュール情報２１のカテゴリが記録されている。そして、モジュールテーブル２０に記録される複数のモジュール情報２１の中で、このモジュールカテゴリ情報２４が一致するモジュール情報２１は互いに関連付けられてグループ化される。
【００３５】
モジュール内容情報２５は、モジュールＩＤ情報２２にて特定されるモジュール情報２１の内容に関する情報である。このモジュール内容情報２５には、Ｗｅｂページの一部として表示部１３０に表示される内容に関する情報が記録されている。具体的には、このモジュール内容情報２５には、例えばテキスト形式にて文字が記録された情報、画像情報、音声情報、画像情報や音声情報や他のＷｅｂファイルへのリンク情報などが記録されている。また、このモジュール内容情報２５は、ＨＴＭＬ言語の形式にて記録されたＷｅｂファイルが記録されているものであってもよい。
【００３６】
モジュールプロパティ情報２６は、モジュールＩＤ情報２２にて特定されるモジュール情報２１のプロパティ情報、つまりモジュール情報２１の全体的な設定事項や、特性などが記録されている。例えば、モジュールプロパティ情報２６には、モジュール内容情報２５に記録される情報の配置位置を左寄せにするか右寄せにするか中央揃えにするかといった情報や、モジュール情報２１が更新された日付や、最後にモジュール情報２１を参照した日付、モジュール情報２１を作成した作成者に関する情報などが記録されていている。
【００３７】
また、記憶手段２５０の受注情報記憶領域に記憶される図示しない受注情報は、例えば、受注情報を特定するための固有ＩＤを記録する注文番号情報と、商品が注文された日付に関する受注日付情報と、注文者の氏名、住所、メールアドレス、連絡先などの注文者の個人情報が記録される注文者情報と、注文された商品の発送先に関する発送先情報と、注文された商品に関する受注商品情報と、メールによる連絡の履歴を記録するメール送信履歴情報と、受注された商品の入金状態や発送状態に関する受注状態情報などが関連付けられた１つのデータとして構築されている。
【００３８】
さらに、記憶手段２５０の顧客情報記憶領域に記憶される図示しない顧客情報は、例えば受注情報の注文者情報および発送先情報が記録された情報であり、顧客の氏名、住所、連絡先などに関する個人情報などが記録されている。
【００３９】
そして、記憶手段２５０の転送先記憶領域に記憶される図示しない転送先設定情報は、Ｗｅｂファイルをネットワーク上で閲覧可能なサーバ装置３００に関するサーバ情報が複数記録されている。このサーバ情報は、例えば、サーバ名称情報と、アドレス情報と、サーバ利用者情報と、初期ディレクトリ情報と、などを関連付けて１つのデータとして構築されている。サーバ名称情報は、転送先のサーバ装置３００の名称に関する情報である。アドレス情報は、サーバ装置３００のネットワーク情報のＩＰアドレスやドメインなどに関する情報である。サーバ利用者情報は、サーバ装置３００にネットワークを介して接続する際の認証ＩＤおよび認証パスワードに関する情報である。初期ディレクトリ情報は、サーバ装置３００に接続した際に最初にアクセスする場所、例えばルートディレクトリからの場所が記録される情報である。
【００４０】
メモリ２６０は、入力手段２２０で入力操作される設定事項、音声情報や画像情報などを適宜読み出し可能に記憶する。また、メモリ２６０には、編集端末装置２００全体を動作制御するＯＳ（Operating System）上に展開される各種プログラムなどを記憶している。なお、メモリ２６０としては、ＨＤ、ＤＶＤ、光ディスクなどの記録媒体に読み出し可能に記憶するドライブやドライバなどを備えた構成としてもよい。
【００４１】
処理部２７０は、図示しない各種入出力ポート、例えば通信手段２１０が接続される通信ポート、入力手段２２０が接続されるキー入力ポート、表示部２３０が接続される表示ポート、音声出力部２４０が接続される音声ポート、記憶手段２５０が接続される記憶ポート、メモリ２６０が接続されるメモリポートなどを有する。そして、処理部２７０は、各種プログラムとして、図５に示すように、内容情報認識手段、テンプレート認識手段としても機能する情報認識手段２７１と、Ｗｅｂページ読込手段２７２と、表示制御手段２７３と、情報関連付け手段、およびテンプレート認識手段としても機能するテンプレート編集手段２７４と、内容情報編集手段としてのモジュール編集手段２７５と、情報生成手段としてのファイル作成手段２７６と、ファイル転送手段２７７と、などを備えている。
【００４２】
情報認識手段２７１は、利用者の入力手段２２０の入力操作による入力信号を認識し、入力信号に基づく各種設定事項情報を認識する。各種情報としては、例えばＷｅｂファイルを作成する旨のＷｅｂファイル作成要求情報、テンプレート情報１１の編集内容に関するテンプレート編集情報、モジュール情報２１の編集内容に関するモジュール編集情報、Ｗｅｂファイルやその他各種情報をサーバ装置３００に転送する旨のファイル転送要求情報、サーバ装置からＷｅｂファイルや各種情報を編集端末装置２００に転送する旨のダウンロード要求情報、表示部２３０に所定の画像情報を表示させる旨の表示要求情報、音声出力部２４０から所定の音声情報を出力させる旨の音声要求情報、その他の設定に関する設定情報などが挙げられる。
【００４３】
また、情報認識手段２７１は、利用者の入力手段２２０の入力操作による入力信号を認識し、入力信号にＷｅｂファイルを作成する旨のＷｅｂファイル作成要求情報がある場合、記憶手段２５０のテンプレート記憶領域に記憶されたテンプレートテーブル１０から所定のテンプレート情報１１を読み込む処理をする。さらに、情報認識手段２７１は、記憶手段２５０のモジュール記憶領域に記憶されたモジュールテーブル２０から所定のモジュール情報２１を読み込む処理をする。
【００４４】
Ｗｅｂページ読込手段２７２は、ＨＴＭＬ言語にて記述されたＷｅｂファイルを読み込み、表示部２３０の表示領域にて表示可能な画像情報にデコードする。具体的には、Ｗｅｂページ読込手段２７２は、例えば情報認識手段２７１にて利用者の入力操作により認識される各種設定事項情報に所定のＷｅｂファイルを表示させる旨の要求情報がある場合に、このＷｅｂファイルを読み込む。そして、読み込んだＷｅｂファイルにおける所定の命令タグ情報を解読して、命令タグ情報に応じた表示形式にて表示可能な状態にＷｅｂファイルを解読し、読み込んだＷｅｂファイルを表示部２３０で画像情報として表示可能な状態にデコードする。なお、このＷｅｂ読込手段としては、例えばインターネットエクスプローラー（Internet Explorer:IE）（マイクロソフトコーポレーション（Microsoft Corporation）の登録商標）や、ネットスケープナビゲーター（Netscape Navigator）（ネットスケープコミュニケーション社（Netscape Communications社）の登録商標）などのクライアントソフトウェアを利用する構成としてもよい。
【００４５】
表示制御手段２７３は、情報認識手段２７１にて認識される各種設定事項情報に応じて、表示部２３０の表示領域に画像情報やＷｅｂファイル、Ｗｅｂファイル作成画面などを表示させる制御をする。具体的には、表示制御手段２７３は、情報認識手段２７１にてＷｅｂファイル作成要求情報や、Ｗｅｂファイルを編集する旨のＷｅｂファイル編集要求情報を認識すると、図６に示すようなテンプレート編集画面３０を表示部２３０の表示領域に表示させる制御をする。また、表示制御手段２７３は、情報認識手段２７１にて、モジュール情報２１を編集する旨の情報が認識されると、図７に示すようなモジュール編集画面４０を表示部２３０の表示領域に表示させる制御をする。さらに、表示制御手段２７３は、情報認識手段２７１にて各種設定事項情報に作成中のＷｅｂファイルのプレビューを見る旨の要求情報が含まれることを認識すると、図８に示すようなプレビュー画面５０を表示部２３０の表示領域に表示させる制御をする。さらには、表示制御手段２７３は、情報認識手段２７１にて認識された各種設定事項情報に、ダウンロードした受注情報の閲覧に関する要求情報があることを認識すると、図９に示すようなＷｅｂ受注管理画面６０を表示部２３０の表示領域に表示させる制御をする。そして、表示制御手段２７３は、情報認識手段２７１にて各種設定事項情報に所定のＷｅｂファイルを表示させる旨の要求情報があることを認識すると、Ｗｅｂページ読込手段２７２に表示対象となるＷｅｂページの例えばＨＴＭＬ言語を解読させて表示可能な画像情報に変換し、表示部２３０に図１０に示すようなトップページ７０、図１１に示すような商品詳細ページ８０、図１２に示すような購入入力ページ９０などのＷｅｂページを表示させる制御をする。
【００４６】
ここで、テンプレート編集画面３０は、図６に示すように、例えば１つのウインドウを左右方向に３分割した画面構成に構成され、上部にコマンドボタン３１が配置されて表示されて構成される。そして、テンプレート編集画面３０の３分割されたウインドウの左側には、テンプレート一覧表示画像としての一覧部３２が表示され、テンプレート編集画面３０の３分割されたウインドウの真中にはテンプレート表示画面としての中央表示部３４が表示され、テンプレート編集画面３０の３分割されたウインドウの右側にはモジュール一覧表示画像としてのモジュール一覧部３６が表示される。なお、この３分割されたテンプレート編集画面３０の一覧部３２、中央表示部３４、およびモジュール一覧部３６はそれぞれ任意に横幅を変更することが可能である。
【００４７】
コマンドボタン３１は、処理部２７０にさせる演算動作の内容に関する情報を示すボタンである。このコマンドボタン３１には、例えばスタートボタン３１Ａと、ＰＣデザインボタン３１Ｂと、モバイルデザインボタン３１Ｃと、商品管理ボタン３１Ｄと、受注管理ボタン３１Ｅと、顧客管理ボタン３１Ｆと、ショップ設定ボタン３１Ｇと、メール編集ボタン３１Ｈと、更新ボタン３１Ｉと、ファイル転送ボタン３１Ｊと、ダウンロードボタン３１Ｋと、オープンボタン３１Ｌと、などの各種ボタンが例えば左右方向に並んで配置される。スタートボタン３１Ａは、テンプレート情報１１およびモジュール情報２１に基づいてＷｅｂファイルを作成する旨の情報を示すボタンである。ＰＣデザインボタン３１Ｂは、パーソナルコンピュータにて閲覧可能なＷｅｂページの作成モードに切り替える旨のＰＣページ切替情報を示すボタンである。モバイルデザインボタン３１Ｃは、携帯電話などのモバイル機器にて閲覧可能なＷｅｂページの作成モードに切り替える旨のモバイルページ切替情報を示すボタンである。商品管理ボタン３１Ｄは、Ｗｅｂページにて表示させる商品に関する詳細情報を表示させる旨の商品表示情報を示すボタンである。受注管理ボタン３１Ｅは、サーバ装置３００からダウンロードした受注情報を閲覧する旨の受注閲覧情報を示すボタンである。顧客管理ボタン３１Ｆは、顧客情報テーブルの顧客情報を表示させる旨の顧客表示情報を示すボタンである。ショップ設定ボタン３１Ｇは、Ｗｅｂページの詳細な説明を編集する旨のＷｅｂページ編集情報を示すボタンである。メール編集ボタン３１Ｈは、サーバ装置３００に転送されたＷｅｂファイルを閲覧した顧客がこのＷｅｂファイルに対応するＷｅｂページから編集端末装置２００または所定のメールアドレスにメールを送信した際に、自動返信されるメールの内容を編集する旨の自動返信メール編集情報を示すボタンである。更新ボタン３１Ｉは、編集された結果を反映させる旨の更新情報を示すボタンである。ファイル転送ボタン３１Ｊは、作成されたＷｅｂファイルをサーバ装置３００に転送する旨の転送情報を示すボタンである。ダウンロードボタン３１Ｋは、サーバ装置３００に記録される各種情報や、受注情報を取得する旨のダウンロード情報を示すボタンである。オープンボタン３１Ｌは、作成したＷｅｂファイルを所定のクライアントソフトウェアなどにて閲覧する旨のＷｅｂ閲覧情報を示すボタンである。
【００４８】
一覧部３２には、上下方向に延びてテンプレート一覧表示部３２Ａが配置されて表示されている。このテンプレート一覧表示部３２Ａの上端部には、テンプレートカテゴリ表示部３２Ｂが設けられている。このテンプレートカテゴリ表示部３２Ｂには、テンプレート情報１１のテンプレートカテゴリ情報１４に記録されるカテゴリ名が表示される。
【００４９】
また、テンプレート一覧表示部３２Ａのテンプレートカテゴリ表示部３２Ｂの下方には、上下方向にテンプレート名３２Ｃが並列して表示される。これらのテンプレート名３２Ｃは、テンプレートカテゴリ情報１４がテンプレートカテゴリ表示部３２Ｂに記録されたカテゴリ名を一致するテンプレート情報１１のテンプレート名情報１３に基づいて、テンプレート名情報１３に記録されたテンプレートの名称が抽出されて表示される。また、テンプレート名３２Ｃの左側端部には、テンプレートアイコン３２Ｄが表示される。これらのテンプレートアイコン３２Ｄは、利用者の設定入力により任意に設定することができる。なお、テンプレート名３２Ｃおよびテンプレートアイコン３２Ｄの配置は特に限定されず、例えば左右方向に配置されている画面構成としてもよく、上下左右方向に配置される画面構成としてもよい。そして、テンプレート一覧表示部３２Ａには、これら上下に並列されたテンプレート名３２Ｃおよびテンプレートアイコン３２Ｄのうちいずれか１つを選択する旨のカーソル情報３３が表示される。
【００５０】
さらに、テンプレート一覧表示部３２Ａの上方には、テンプレート操作表示部３２Ｅが表示される。このテンプレート操作表示部３２Ｅには、例えば新規にテンプレート情報１１を追加する旨の新規作成ボタンや、既に作成されているテンプレート情報１１のうちカーソル情報３３にて囲われるテンプレート名３２Ｃに対応するテンプレート情報１１を複製する旨のテンプレートコピーボタンや、既に作成されているテンプレート情報１１のうちカーソル情報３３にて囲われるテンプレート名３２Ｃに対応するテンプレート情報１１を削除する旨のテンプレート削除ボタンなどが表示される。
【００５１】
さらに、一覧部３２の上端には、テンプレート編集画面３０の３分割されたウインドウの左側に表示される対象を一覧部３２（図８参照）および一覧部３２のうちどちらか一方に切り替える旨のタブ情報３２Ｆが表示される。
【００５２】
中央表示部３４には、一覧部３２のカーソル情報３３にて囲われるテンプレート名３２Ｃに対応するテンプレート情報１１のレイアウトが表示される。そして、中央表示部３４の略中央には、一覧部３２のカーソル情報３３にて囲われるテンプレート名３２Ｃに対応するテンプレート情報１１のレイアウト情報１６に基づいて、情報組込枠としてのレイアウト枠３４Ａが配置される。このレイアウト枠３４Ａは、テンプレート情報１１のレイアウト情報１６が有する各配置位置情報１７の配置位置座標情報１７Ｂに応じた座標位置に配置されて表示される。
【００５３】
そして、このレイアウト枠３４Ａには、上下方向にモジュール名３４Ｂが配列されて表示される。このモジュール名３４Ｂには、配置位置情報１７の配置モジュール情報１７Ｃに基づいて、配置モジュール情報１７Ｃに関連付けらえるモジュール情報２１のモジュール名情報２３に記録されたモジュール情報２１の名称が表示される。また、これらのモジュール名３４Ｂは、それぞれ背景色が異なる色にて表示されている。そして、これらのモジュール名３４Ｂのうち１つには、モジュール名３４Ｂに対応するモジュール情報２１を選択する旨のレイアウトカーソル３５が表示される。
【００５４】
また、中央表示部３４のレイアウト枠３４Ａの下方には、画面構成情報３４Ｃが表示される。この画面構成情報３４Ｃは、テンプレート情報１１のテンプレートプロパティ情報１５に基づいて、作成されるＷｅｂファイルの全体的な表示位置や、上下左右の余白幅、レイアウト枠３４Ａの間隔、全体の幅、小コラム幅などの情報が表示される。
【００５５】
さらに、中央表示部３４のレイアウト枠３４Ａの上方には、中央表示部３４に表示されるテンプレート情報１１のテンプレートの名称が表示されるテンプレート名表示部３４Ｄが設けられている。また、テンプレート名表示部３４Ｄの下部には、レイアウトカーソル３５にて選択されるモジュール情報２１をレイアウト枠３４Ａから削除する旨のモジュール配置削除ボタン３４Ｅが表示される。さらに、モジュール配置削除ボタン３４Ｅの右側には、テンプレート情報１１のレイアウト情報１６を変更する旨のレイアウト変更ボタン３４Ｆが表示される。また、中央表示部３４の下端には、一覧部３２にてカーソル情報３３にて選択されるテンプレート名３２Ｃに対応するテンプレート情報１１のテンプレートプロパティ情報１５を表示させる旨のタブ情報３４Ｇが表示される。
【００５６】
モジュール一覧部３６には、上下方向にモジュール一覧表示領域３６Ａが設けられている。そして、このモジュール一覧表示領域３６Ａには、上下方向にモジュールカテゴリ表示部３６Ｂが並列して設けられている。このモジュールカテゴリ表示部３６Ｂは、モジュールテーブル２０のモジュール情報２１のモジュールカテゴリ情報２４に基づいて、モジュールカテゴリ情報２４のモジュールカテゴリ名が表示される。そして、これらのモジュールカテゴリ表示部３６Ｂのうち１つには下部にモジュール名表示部３６Ｃが上下方向に並列されて設けられている。モジュール名表示部３６Ｃは、モジュール情報２１のモジュール名情報２３に基づいて、モジュール情報２１の名称が表示される。さらに、これらのモジュール名表示部３６Ｃの左側端部には、モジュールアイコン３６Ｄが表示される。そして、これらのモジュール名表示部３６Ｃのうちいずれか１つを選択する旨のモジュールカーソル３７がモジュール名表示部３６Ｃおよびモジュールアイコン３６Ｄを囲う状態に表示される。
【００５７】
また、モジュール一覧表示領域３６Ａの上方には、モジュール操作表示部３６Ｅが表示される。このモジュール操作表示部３６Ｅには、例えば新規にモジュール情報２１を追加する旨の新規作成ボタンや、既に作成されているモジュール情報２１のうちモジュールカーソル３７にて囲われるモジュール名表示部３６Ｃに対応するモジュール情報２１を複製する旨のモジュールコピーボタンや、既に作成されているモジュール情報２１のうちモジュールカーソル３７にて囲われるモジュール名表示部３６Ｃに対応するモジュール情報２１を削除する旨のモジュール削除ボタンや、既に作成されているモジュール情報２１のうちモジュールカーソル３７にて囲われるモジュール名表示部３６Ｃに対応するモジュール情報２１を編集する旨のモジュール編集ボタンなどが表示される。
【００５８】
モジュール編集画面４０は、略中央にモジュール編集領域４１が配置された画面構成に構成されている。モジュール編集領域４１には、利用者の入力操作により編集された編集内容情報が表示される。モジュール編集領域４１の上方には、モジュール編集コマンドボタン４２が配設されている。このモジュール編集コマンドボタン４２には、例えば所定位置にリンク情報を設ける旨のリンクボタンや、所定位置に表を挿入する旨の表挿入ボタン、所定位置に画像情報を挿入する旨の画像挿入ボタン、１つ前の編集状態にモジュール編集領域４１の編集内容を変更するアンドゥボタンなどが挙げられる。
【００５９】
また、モジュール編集コマンドの情報には、モジュール名表示欄４３が設けられている。このモジュール名表示欄には、現在編集しているモジュール情報２１のモジュール名情報２３に記録されたモジュールの名称が表示される。
【００６０】
さらに、モジュール編集画面４０のモジュール編集領域４１の下端には、編集モードと、ＨＴＭＬ表示モードと、プレビューモードとを切り替える切替タブボタン４４が表示される。図７においては、切替タブボタン４４が「編集」モードに切り替わっているため、モジュール編集領域４１には、例えば図７のような入力用カーソル４１Ａや入力範囲表示枠４１Ｂが表示される。また、切替タブボタン４４が「ＨＴＭＬ」に切り替わった状態では、図示しないがモジュール編集領域４１には、ＨＴＭＬ言語にて記述されたＷｅｂファイルが表示される。さらに、切替タブボタン４４が「プレビュー」ボタンに切り替わった状態では、ＨＴＭＬ文書にて記述されたモジュール情報２１のモジュール内容情報２５をＷｅｂページ読込手段２７２にて閲覧可能な状態としたＷｅｂプレビュー画面が表示される。
【００６１】
さらには、切替タブボタンの右方には、モジュールの編集を適用して編集を終了する旨のＯＫボタン４５、モジュールの編集を適用せずに編集を終了する旨のキャンセルボタン４６、およびモジュールの編集に関する説明補足文書を閲覧する旨のヘルプボタン４７が表示される。
【００６２】
プレビュー画面５０は、図８に示すように、１つのウインドウを左右方向に３分割した画面構成に構成され、上部にテンプレート編集画面３０と同様のコマンドボタン３１が配置されて表示される。そして、テンプレート選択画面と同様に、プレビュー画面５０の３分割されたウインドウの左側には、一覧部３２が表示され、プレビュー画面５０の３分割されたウインドウの真中には中央表示部３４が表示され、プレビュー画面５０の３分割されたウインドウの右側には、モジュール一覧部３６が表示される。
【００６３】
このプレビュー画面５０においては、一覧部３２は、処理部１７０の後述するファイル作成手段２７６にて作成されたＷｅｂファイル同士の関連性を示すサイトマップ５１が表示される。このサイトマップ５１は、Ｗｅｂファイルに記録されるリンク情報などにより互いに関連付けられたＷｅｂファイルを階層毎に表示したものであり、互いに関連するＷｅｂファイルのＷｅｂファイル名が例えば直線などで連結されて表示される。さらに、一覧部３２の上端には、一覧部３２の表示をテンプレート一覧表示部３２Ａおよびサイトマップ５１のうちどちらか一方に切り替えて表示させる旨のタブ情報３２Ｆが表示される。また、サイトマップ５１に表示されるＷｅｂファイル名のうち１つには、このＷｅｂファイル名に対応するＷｅｂファイルを選択する旨のＷｅｂ選択情報５２が表示される。このＷｅｂ選択情報５２は、例えば選択されたＷｅｂファイル名の文字および背景色を反転させることで表示されてもよく、フレーム枠にて囲って表示されてもよい。
【００６４】
プレビュー画面５０における中央表示部３４には、Ｗｅｂ選択情報５２にて選択されたＷｅｂファイル名に対応するＷｅｂファイルのプレビューであるコンテンツ表示画像としてのプレビュー情報５３が表示される。このプレビュー情報５３は、Ｗｅｂページ読込手段２７２にて対象となるＷｅｂファイルのＨＴＭＬ言語を閲覧可能な状態にデコードされた映像情報が表示される。
【００６５】
Ｗｅｂ受注管理画面６０は、図９に示すように、例えばウインドウの左右方向を２分割し、さらに一方を上下方向に分割した画面構成に構成され、上部にテンプレート編集画面３０およびプレビュー画面５０と同様のコマンドボタン３１が配置されて表示される。このＷｅｂ受注管理画面６０は、入力手段２２０にてコマンドボタン３１の受注管理ボタン３１Ｅが例えばクリックされるなどして選択されたことを認識すると、表示制御手段２７３の制御によりテンプレート編集画面３０やプレビュー画面５０から切り替わって表示される。
【００６６】
このＷｅｂ受注管理画面６０の分割されたウインドウの左側には、受注状態選択表示部６１が設けられる。受注状態選択表示部６１は、例えば図９に示すように、「すべての受注」、「新規受注」、「入金待ち・未発送」、「入金済み・未発送」、「発送済み・入金待ち」、「取引完了」、「キャンセル」などといった受注情報の受注の受注状態に関する受注状態表示情報６１Ａが上下方向に並列して表示される。また、これらの受注状態表示情報６１Ａのいずれか１つを囲って選択する旨の受注状態選択情報６１Ｂが表示される。なお、この受注状態選択情報６１Ｂとしては、例えば図９に示すように、文字色と背景色とを反転させて表示するものであってもよく、選択された受注状態表示情報６１Ａの文字色を他の受注状態表示情報６１Ａと異なる色にて表示するものであってよく、受注状態表示情報６１Ａの例えば左端に受注状態表示情報６１Ａを選択する旨のマークやアイコンなどを表示させてもよい。
【００６７】
Ｗｅｂ受注管理画面６０の分割されたウインドウの右上側には、受注一覧表示部６２が設けられている。この受注一覧表示部６２には、受注状態選択情報６１Ｂにて選択される受注状態表示情報６１Ａに対応する受注表示部６２Ａが上下方向に配列されて表示される。これらの受注表示部６２Ａは、受注情報の注文番号情報、受注日時情報、注文者情報、受注商品情報などに基づいて、左端部から、注文番号、受付日付、姓、名、都道府県名、顧客ランク、受注商品名、商品の金額、および受注状態などが表示される。また、これらの受注表示部６２Ａのうちいずれか１つには、この受注表示部６２Ａを囲う状態に受注選択情報６２Ｂが表示される。なお、この受注選択情報６２Ｂとしては、例えば図９に示すように、文字色と背景色とを反転させて表示するものであってもよく、選択された受注表示部６２Ａの文字色を他の受注表示部６２Ａと異なる色にて表示するものであってよく、受注表示部６２Ａの例えば左端に受注表示部６２Ａを選択する旨のマークやアイコンなどを表示させてもよい。また、受注一覧表示部６２の上方には、受注管理コマンド６２Ｃが表示される。この受注管理コマンド６２Ｃは、受注選択情報６２Ｂにて選択される受注表示部６２Ａに対応する受注情報を編集するボタンである。この受注管理コマンド６２Ｃは、例えば図９に示すように、新規に受注情報を作成する新規受注作成ボタン、受注選択情報６２Ｂにて選択された受注表示部６２Ａに対応する受注情報を削除する旨の受注削除ボタン、受注選択情報６２Ｂにて選択された受注表示部６２Ａに対応する受注情報を詳細に表示させる旨の詳細表示ボタン、複数の受注情報から所定の条件にあった受注情報を検索する旨の検索ボタン、受注選択情報６２Ｂにて選択された受注表示部６２Ａに対応する受注情報を所定のフォームにて印刷する旨の印刷ボタン、受注一覧表示部６２に表示される受注表示部６２Ａに対応する受注情報を所定のファイル形式、例えば、ＣＳＶ（Comma Separated Values）形式にて記録する旨の出力ボタン、受注選択情報６２Ｂにて選択された受注表示部６２Ａに対応する受注情報の受注状態情報を変更する旨の状態変更ボタン、受注選択情報６２Ｂにて選択された受注表示部６２Ａに対応する受注情報の注文者情報に記録されるメールアドレスにメールを送信する旨のメール送信ボタン、受注選択情報６２Ｂにて選択された受注表示部６２Ａに対応する受注情報を他の受注状態表示情報６１Ａに振り分けする仕分けボタンなどが表示される。
【００６８】
Ｗｅｂ受注管理画面６０の分割されたウインドウの左上側には、受注詳細表示部６３が設けられている。この受注詳細表示部６３には、受注一覧表示部６２において、受注選択情報６２Ｂにて選択された受注表示部６２Ａに対応する受注情報の詳細な情報が表示される。そして、受注詳細表示部６３の上部には、注文番号情報に基づいて注文番号６３Ａが表示され、この注文番号の下方に受注状態情報に基づいて、入金状態や発送状態などの受注状態６３Ｂが表示される。また受注詳細表示部６３の左上部には、受注日付情報に基づいた受注日付が表示される。
【００６９】
そして、受注詳細表示部６３の下方には、詳細窓部６３Ｃが設けられ、この詳細窓部６３Ｃの上端部に詳細事項切替タブ６３Ｄが設けられて表示されている。この詳細事項切替タブ６３Ｄは、例えば「商品」、「注文者」、「発送先」、「追加情報」、「メール送信履歴」などの項目に分かれたタブを有している。そして、利用者の入力操作によりこれらのタブが切り替えられると、詳細窓部６３Ｃに表示される情報が切り替わる。例えば、詳細事項切替タブのうち例えば「注文者」のタブが選択される状態では、詳細窓部６３Ｃには、図９に示すように、受注情報の注文者情報に基づいて、注文者の氏名、住所、メールアドレス、会社名などの情報が表示される。
【００７０】
図５に戻り、処理部２７０のテンプレート編集手段２７４は、テンプレート情報１１のテンプレート名情報１３、テンプレートカテゴリ情報１４、テンプレートプロパティ情報１５、レイアウト情報１６などの内容を編集する。具体的には、テンプレート編集手段２７４は、情報認識手段２７１にて認識される利用者の入力手段２２０の入力操作による入力信号に、例えば入力信号にテンプレート名情報を変更する旨の情報、すなわちテンプレート編集画面３０において、中央表示部３４のテンプレート名表示部３４Ｄに表示される文字が変更されたことを認識すると、テンプレート情報１１のテンプレート名情報１３を変更する。また、テンプレート編集手段２７４は、情報認識手段２７１にてレイアウト情報１６を変更する旨の入力信号が認識されると、レイアウト情報１６を適宜変更する。例えば、情報認識手段２７１にてマウスなどでモジュール一覧から所定のモジュールアイコン３６Ｄが所定のレイアウト枠３４Ａにドラックアンドドロップされる、すなわち所定の配置モジュール情報１７Ｃに配置するモジュール情報２１を選択する旨の入力信号が認識されると、配置位置情報１７の配置モジュール情報１７Ｃに、移動されたモジュールアイコン３６Ｄに対応するモジュール情報２１を配置する旨の情報を記録する。すなわち、移動されたモジュールアイコン３６Ｄに対応するモジュール情報２１を、移動先の配置モジュール情報１７Ｃを有するテンプレート情報２１に紐付ける。また、テンプレート編集手段２７４は、例えばレイアウト枠３４Ａの縁を一方側に移動させる旨の情報を認識すると、配置位置情報１７の配置位置座標情報１７Ｂの座標を移動量に応じて変更する。そして、テンプレート編集手段２７４は、編集したテンプレート情報１１を適宜メモリ２６０に読み出し可能に記憶する。また、利用者に設定入力により、例えば編集した内容を適用させる旨の入力信号を認識すると、メモリ２６０に記憶された編集されたテンプレート情報１１を記憶手段２５０のテンプレートテーブル１０に記憶し、テンプレートテーブル１０を更新する。なお、テンプレート編集手段２７４は、入力信号にテンプレート操作表示部３２Ｅの新規ボタンが選択された旨の情報があると認識すると、例えば予め用意されたテンプレート情報のサンプルを中央表示部３４に表示させる構成としてもよい。
【００７１】
モジュール編集手段２７５は、利用者の入力手段２２０の入力操作により入力される入力信号を認識し、モジュール情報２１のモジュール名情報２２、モジュールカテゴリ情報２４、モジュール内容情報２５、モジュールプロパティ情報２６などを編集する。具体的には、モジュール編集手段２７５は、例えば図７のようなモジュール編集画面４０において、モジュール編集領域４１の内容を変更する旨の変更要求情報を認識すると、この変更要求情報に応じて適宜表示制御手段２７３にモジュール編集領域４１に表示される内容を変更させる処理をする。また、この変更要求情報に応じてモジュール情報２１のモジュール内容情報２５の内容を変更する。また、利用者の入力手段２２０の入力操作により認識される入力信号に、モジュール名情報２３やモジュールカテゴリ情報２４やモジュール内容情報２５を変更する旨の情報があれば、適宜モジュール情報２１のこれらのモジュール名情報２３、モジュールカテゴリ情報２４、およびモジュール内容情報２５を変更する。そしてモジュール編集手段２７５は、変更したモジュール情報２１を適宜読み出し可能にメモリ２６０に記憶する。さらに、モジュール編集手段２７５は、利用者の入力操作により編集した内容を適用させる旨の情報を認識すると、メモリ２６０に記憶されたモジュール情報２１を適宜記憶手段２５０のモジュールテーブル２０に記憶し、モジュールテーブル２０を更新する。
【００７２】
ファイル作成手段２７６は、情報認識手段２７１にて認識し、テンプレート編集手段２７４およびモジュール編集手段２７５にて編集されたテンプレート情報１１およびモジュール情報２１に基づいて、Ｗｅｂファイルを生成する。具体的には、まず、ファイル作成手段２７６は、ファイル作成手段２７６は、例えば図６、図８、および図９に示すような画面において、コマンドボタン３１のスタートボタン３１Ａが例えばクリックされたりして選択されたことを認識すると、テンプレートカテゴリ情報１４が同一であるテンプレート情報１１を認識する。そして、これらの各テンプレート情報１１のレイアウト情報１６を認識し、レイアウト情報１６が有する各配置位置情報１７の配置位置座標情報１７Ｂおよび配置モジュール情報１７Ｃを認識する。そして、ファイル作成手段２７６は、配置モジュール情報１７Ｃに基づいて、各レイアウト窓に配置するモジュール情報２１を認識する。そして、ファイル作成手段２７６は、テンプレート情報１１のレイアウト情報１６に基づいて、例えばテーブルタグなどを用いて、レイアウト枠３４Ａを表示可能なＷｅｂファイル構成を構築する。この後、モジュール情報２１のモジュール内容情報２５に記録された情報をＨＴＭＬフォーマット形式、すなわち、所定の命令タグ情報を備えた言語で作成したレイアウト枠３４Ａのテーブルタグの所定位置に配置し、各レイアウト枠３４Ａにモジュール内容情報２５を組み込む。なお、モジュール内容情報２５が適切なＨＴＭＬフォーマット形式となっていない場合には、適宜ＨＴＭＬフォーマット形式に変換した上でテーブルタグの所定位置に配置する。そして、ファイル作成手段２７６は、テンプレートカテゴリ情報１４が同一であるテンプレート情報１１の全てに同様の処理を実施し、複数のテンプレート情報１１およびモジュール情報２１から、これらのテンプレート情報１１に対応した数のＷｅｂファイルを一度に作成する。なお、ファイル作成手段２７６は、Ｗｅｂファイルを作成した後、表示制御手段２７３に作成したＷｅｂファイルを図８に示すようなプレビュー画面５０として表示部２３０に表示させる構成としてもよい。
【００７３】
ファイル転送手段２７７は、作成されたＷｅｂファイルをサーバ装置３００に送信する処理をする。また、サーバ装置３００から所定のＷｅｂファイルや受注ファイル、その他のファイルなどを編集端末装置２００に転送する、すなわちダウンロード処理をする。具体的には、ファイル転送手段２７７は、コマンドボタン３１のファイル転送ボタン３１Ｊが例えばクリックされたりして選択されたことを認識すると、記憶手段２５０の転送先記憶領域に記憶された転送先設定情報を認識する。そして、ファイル転送手段２７７は、利用者の入力操作により転送先設定情報から所定のサーバ情報を認識し、このサーバ情報に記録されているアドレス情報に基づいて、所定のサーバ装置３００にネットワーク１１０を介してアクセスする。この後、サーバ情報に基づいたサーバ装置３００の所定のディレクトリにＷｅｂファイルを転送する。また、ファイル転送手段２７７は、コマンドボタン３１のダウンロードボタン３１Ｋが例えばクリックされたりして選択されたことを認識すると、記憶手段２５０の転送先記憶領域に記憶された転送先設定情報を認識する。そして、ファイル転送手段２７７は、利用者の入力操作による設定入力により転送先設定情報から所定のサーバ情報を認識し、このサーバ情報に記録されているアドレス情報に基づいて、所定のサーバ装置３００にネットワーク１１０を介してアクセスする。そして、サーバ装置３００の所定のディレクトリに記録された受注情報をダウンロードし、これらの受注情報を記憶手段２５０の受注情報記憶領域に記憶する。また、ファイル転送手段２７７は、利用者の入力手段２２０の入力操作による入力信号に例えば所定のＷｅｂファイルを取得する旨の要求情報が含まれていることを認識すると、所定のＷｅｂファイルをサーバ装置３００からダウンロードして記憶手段２５０に記憶する。
【００７４】
受注操作手段２７８は、コマンドボタン３１の受注管理ボタン３１Ｅが例えばクリックされたりして選択されたことを認識すると、表示制御手段２７３に図８に示すような受注管理画面６０を表示させる。そして、受注操作手段２７８は、例えば利用者により受注管理画面の受注管理コマンド６２Ｃがクリックされるなどして操作されると、この入力信号に応じて受注情報を編集したり、削除したりする。具体的には、受注操作手段２７８は、利用者の入力手段２２０の入力操作により受注状態を変更する旨の情報を認識すると、受注情報の受注状態情報を変更する。また、受注操作手段２７８は、受注情報を削除する旨の情報を認識すると、対象となる受注情報を削除する。
【００７５】
（サーバ装置の構成）
サーバ装置３００は、図１３に示すように、インターフェース３１０と、入力部３２０と、出力部３３０と、記憶手段３４０と、ＣＰＵ３５０と、を備えている。
【００７６】
インターフェース３１０は、ネットワーク１１０を介して編集端末装置２００および端末装置４００に接続されるとともに、ＣＰＵ３５０に接続されている。このインターフェース３１０は、ネットワーク１１０を介して入力されるサーバ信号に対してあらかじめ設定されている入力インターフェース処理を実行し、処理サーバ信号としてＣＰＵ３５０へ出力する。また、インターフェース３１０は、ＣＰＵ３５０から編集端末装置２００または端末装置４００に対して送信すべき処理サーバ信号が入力されると、入力された処理サーバ信号に対してあらかじめ設定されている出力インターフェース処理を実行し、サーバ信号としてネットワーク１１０を介して編集端末装置２００または所定の端末装置４００へ出力する。
【００７７】
入力部３２０は、例えばキーボードやマウスなどで、入力操作される図示しない各種操作ボタンや操作つまみなどを有している。これら操作ボタンや操作つまみなどの入力操作は、サーバ装置３００の動作内容の設定や、記憶手段３４０に記憶する情報の設定入力、記憶手段３４０に記憶された情報の更新、などの設定事項の設定入力である。そして、入力部３２０は、設定事項の入力操作により、設定事項に対応する信号をＣＰＵ３５０へ適宜出力して設定入力させる。なお、入力操作としては、操作ボタンや操作つまみなどの操作に限らず、例えば出力部３３０に設けられたタッチパネルによる入力操作や、音声による入力操作などにより、各種設定事項を設定入力する構成としてもできる。
【００７８】
出力部３３０は、ＣＰＵ３５０にて制御されＣＰＵ３５０からの画像データの信号を画面表示させる。この出力部３３０としては、編集端末装置２００の表示部２３０と同様に、例えば液晶パネル、有機ＥＬパネル、ＰＤＰ、ＣＲＴ、ＦＥＤ、電気泳動ディスプレイパネルなどが例示できる。また、この出力部３３０に表示させる画像データとしては、記憶手段３４０からの画像データやネットワーク１１０を介して外部のサーバから取得した画像データなどが例示できる。
【００７９】
記憶手段３４０は、編集端末装置２００または端末装置４００、あるいは外部のサーバなどから受信した各種情報やＷｅｂファイルを適宜に読み出し可能に記憶する図示しないＷｅｂ記憶領域と、端末装置４００から受信した図示しない受注情報を適宜読み出し可能に記憶する図示しない受注記憶領域と、などを備えている。この記憶手段３４０としては、ＨＤ、ＤＶＤ、光ディスク、メモリカードなどの記録媒体に読み出し可能に記憶するドライブやドライバなどが例示できる。なお、格納する情報として例えば入力部３２０の入力操作により入力された情報をも記憶可能で、入力操作により格納された情報の内容が適宜更新可能となっている。また、記憶手段３４０には、サーバ装置３００全体を動作制御するＯＳ上に展開される各種プログラムなどをも情報として記憶している。
【００８０】
ＣＰＵ３５０は、記憶手段３４０に記憶された各種プログラムとして、図１４に示すように、Ｗｅｂ処理手段３５１と、受注処理手段３５２と、メール連絡手段３５３と、などを備えている。
【００８１】
Ｗｅｂ処理手段３５１は、サーバ装置３００をＷｅｂサーバとして機能させるプログラムで構成されている。このＷｅｂ処理手段３５１は、編集端末装置２００から送信されて記憶手段３４０に蓄積されたＷｅｂファイルを、編集端末装置２００のＷｅｂページ読込手段２７２や端末装置４００が有するクライアントソフトウェアなどのＷｅｂファイル閲覧要求情報に応じて所定のＷｅｂファイルを送信する。また、Ｗｅｂ処理手段３５１は、編集端末装置２００や端末装置４００の要求情報に応じて、例えばＣＧＩ（Common Gateway Interface）プログラムやＳＳＩ（Server Side Include）プログラム、Ｊａｖａ（Sun Microsystems社が開発したプログラム言語）などの所定のプログラムを実行し、結果を編集端末装置２００または所定の端末装置４００に送信する。
【００８２】
受注処理手段３５２は、端末装置４００から送信される所定の受注情報を認識し、送信元の端末装置４００を識別する例えばＩＰ情報などとともに記憶手段３４０の受注記憶領域に記憶する処理をする。また、受注処理手段３５２は、編集端末装置２００から受注情報をダウンロードする旨の要求情報を認識すると、記憶手段３４０の受注記憶領域に記憶された受注情報を編集端末装置２００に送信する処理をする。
【００８３】
メール連絡手段３５３は、端末装置４００から受注情報が送信されると、編集端末装置２００に新規に受注情報を受信した旨の情報をメールにて送信し、利用者に受注があった旨を報知する。なお、メール連絡手段３５３は、受注情報を送信した端末装置４００に、予め設定された文面、例えば「お買い上げありがとうございました」などといったメールを自動送信する処理をしてもよい。
【００８４】
（端末装置の構成）
また、端末装置４００は、ネットワーク１１０を介して編集端末装置２００およびサーバ装置３００に接続される。この端末装置４００としては、例えばパーソナルコンピュータ、携帯用電話機器、テレビジョン装置、ビデオ装置、ナビゲーション装置などネットワークを介して通信可能である。そして、この端末装置４００は、図示しない送受信部と、図示しない端末表示部と、図示しない記憶装置と、図示しない入力操作部と、図示しない処理装置と、などを備えて構成されている。送受信部は、サーバ装置３００にネットワーク１１０を介して通信可能に接続され、Ｗｅｂファイルなどの各種情報を送受信する。また、端末表示部は、図１０ないし図１２に示すようなＷｅｂ画面を図示しない表示領域に表示する。入力操作部は、端末装置４００を操作する注文者が入力操作することで、入力操作に応じた入力信号を処理装置に入力する。この入力操作部としては、編集端末装置２００の入力手段２２０と同様に、例えばマウス、キーボードなどが利用できる。記憶装置は、サーバ装置３００から受信したＷｅｂファイルや、その他各種情報を記憶する。また、記憶装置には、Ｗｅｂファイルを閲覧可能な状態に処理するプログラムであるＷｅｂ閲覧クライアントソフトウェアなどの各種プログラムが記憶されている。処理装置は、Ｗｅｂ閲覧クライアントソフトウェアなどの各プログラムを展開し、所定の演算処理を実施する。
【００８５】
〔情報処理システムの動作〕
次に、上記情報処理システムの動作として、Ｗｅｂファイル生成処理について、図１５に基づいて説明する。図１５は、Ｗｅｂファイルの作成処理を示すフローチャートである。
【００８６】
図１５において、情報処理システム１００の編集端末装置２００の処理部２７０は、情報認識手段２７１にて利用者の入力手段２２０の入力操作により入力される入力信号を認識させる。そして、この入力信号にＷｅｂファイルを作成する旨の情報が含まれているか否かを判断する（ステップＳ１０１）。
【００８７】
このステップＳ１０１で、処理部２７０は、情報認識手段２７１にてＷｅｂファイルを作成する旨の情報が認識されると、表示制御手段２７３を制御して、新規作成であるか、または既存のテンプレート情報１１を用いてＷｅｂファイルを作成するかを問う案内情報を例えば出力部３３０の表示領域に表示させる。そして、処理部２７０は、利用者の入力手段２２０の入力操作により、既存のＷｅｂファイルを編集する旨の情報が設定入力されたことを認識すると、情報認識手段２７１に利用者の設定入力により選択される既存のＷｅｂファイルに対応するテンプレート情報１１を記憶手段２５０のテンプレート記憶領域に記憶されたテンプレートテーブル１０から所定のテンプレート情報１１を読み込む処理をさせる。この時、情報認識手段２７１は、利用者の設定入力により選択されたＷｅｂファイルに対応するテンプレート情報１１のテンプレートカテゴリ情報１４を認識し、このテンプレートカテゴリ情報１４が一致するテンプレート情報１１を全て読み込む処理をする（ステップＳ１０２）。なお、処理部２７０は、利用者の入力手段２２０の入力操作により、新規にＷｅｂファイルを作成する旨の情報が設定入力されたことを認識すると、さらにサンプルテンプレートを用いるか否かを問う案内情報を表示部２３０に表示させる。そして、処理部２７０は、サンプルテンプレートを用いる旨の設定入力を認識すると、記憶手段２５０のテンプレートテーブル１０に記憶されたサンプルのテンプレート情報１１を読み込む処理をする。また、サンプルテンプレートを用いない旨の設定入力を認識すると、新規のテンプレート情報１１を作成する処理を実施する。
【００８８】
また、処理部２７０は、ステップＳ１０２にて読み込んだテンプレート情報１１に関連付けられるモジュール情報２１を記憶手段２５０のモジュール記憶領域に記憶されるモジュールテーブル２０から読み込む（ステップＳ１０３）。
【００８９】
そして、処理部２７０は、ステップＳ１０２およびステップＳ１０３にて読み込んだテンプレート情報１１およびモジュール情報２１に基づいて、表示制御手段２７３に図８に示すようなプレビュー画面５０を表示させる制御をさせる（ステップＳ１０４）。これには、処理部２７０は、テンプレート情報１１を読み込む際に認識した既存のＷｅｂファイルをＷｅｂページ読込手段２７２にて閲覧可能な状態とし、表示制御手段２７３に表示部２３０を制御させてプレビュー画面５０を表示させる。
【００９０】
次に、処理部２７０は、情報認識手段２７１にて利用者の入力手段２２０の入力操作により、例えば図８のプレビュー画面５０においてＰＣデザインボタン３１Ｂまたはモバイルデザインボタン３１Ｃが例えばマウスでクリックされるなどして選択されたことが認識される（ステップＳ１０５）と、表示制御手段２７３に表示部２３０を制御させて、図６に示すようなテンプレート編集画面３０を表示領域に表示させる処理をする（ステップＳ１０６）。
【００９１】
そして、処理部２７０は、利用者の入力手段２２０の入力操作による入力信号に基づいて、テンプレート編集手段２７４を適宜制御してテンプレート情報１１を編集する（ステップＳ１０７）。そして、利用者の入力手段２２０の入力操作により、編集したテンプレート情報１１を適用する旨の情報を認識すると、編集したテンプレート情報１１を記憶手段２５０のテンプレート記憶領域に記憶されるテンプレートテーブル１０に記憶する。
【００９２】
具体的には、図６に示すようなテンプレート編集画面３０において、情報認識手段２７１にて利用者の入力手段２２０の入力操作により例えばテンプレート名表示部３４Ｄに表示されるテンプレート名を変更する旨の情報が認識されると、テンプレート編集手段２７４は、テンプレート情報１１のテンプレート名情報１３を変更されたテンプレート名に変更する処理をする。また、情報認識手段２７１にて利用者の入力手段２２０の入力操作により例えばモジュール一覧部３６に表示されるモジュール名表示部３６Ｃをレイアウト枠３４Ａに移動させる旨の情報が認識されると、テンプレート編集手段２７４は、レイアウト枠３４Ａに対応する配置位置座標情報１７Ｂを有する配置位置情報１７の配置モジュール情報１７Ｃに移動されたモジュール名表示部３６Ｃに対応するモジュール情報２１を関連付け、テンプレート情報１１およびモジュール情報２１を紐付ける。さらに、テンプレート編集手段２７４は、情報認識手段２７１にて例えば利用者の入力手段２２０の入力操作によりモジュール配置削除ボタン３４Ｅが選択された旨の情報が認識されると、テンプレート情報１１の配置モジュール情報１７Ｃからレイアウトカーソル３５にて選択されるモジュール情報２１の関連付けを削除する処理をする。さらに、テンプレート編集手段２７４は、情報認識手段２７１にて例えば入力手段２２０の入力操作によりレイアウト変更ボタン３４Ｆが選択された旨の情報が認識されると、テンプレート情報１１の配置位置座標情報１７Ｂを変更する旨の案内情報を表示部２３０に表示させる。そして、テンプレート編集手段２７４は、情報認識手段２７１にて利用者の入力手段２２０の入力操作によりレイアウト枠３４Ａの幅などの大きさ、レイアウト枠３４Ａの配置位置、レイアウト枠３４Ａの数などを変更する旨の情報が認識されると、テンプレート情報１１の配置位置座標情報１７Ｂを変更する。そして、テンプレート編集手段２７４は、上記のように編集されたテンプレート情報１１をメモリ２６０に適宜読み出し可能に記憶する。さらに、テンプレート編集手段２７４は、情報認識手段２７１にて編集したテンプレート情報１１を適用する旨の情報が認識されると、記憶手段２５０に記憶されるテンプレートテーブル１０に編集されたテンプレート情報１１を記憶し、テンプレートテーブル１０を更新する。
【００９３】
ステップＳ１０７の後、あるいは、ステップＳ１０５にて情報認識手段２７１にてテンプレート情報１１を編集しない旨の情報が認識された場合、処理部２７０は、モジュール情報２１を編集するか否かを判断する（ステップＳ１０８）。これには、テンプレート編集画面３０またはプレビュー画面５０において、利用者の設定入力により、モジュール操作表示部３６Ｅのモジュール編集ボタンが選択されたか否かを判断する。
【００９４】
そして、処理部２７０は、ステップＳ１０８にてモジュール情報を選択すると判断すると、表示制御手段２７３を制御して、図７に示すようなモジュール編集画面４０を表示部２３０の表示領域に表示させる（ステップＳ１０９）。
【００９５】
このステップＳ１０９において、処理部２７０は、情報認識手段２７１にて利用者の入力手段２２０の入力操作によりモジュール編集領域に表示されたモジュール内容情報２５の内容が変更されたことを認識すると、モジュール編集手段２７５にモジュール内容情報２５の内容を変更された内容に変更させる処理をする（ステップＳ１１０）。
【００９６】
また、モジュール編集手段２７５は、情報認識手段２７１にてＯＫボタン４５が選択された旨の情報が認識されると、編集されたモジュール情報２１を適宜メモリ２６０に読み出し可能に記憶する。また、モジュール編集手段２７５は、情報認識手段２７１にて編集されたモジュール情報２１を適用する旨の情報が認識されると、メモリ２６０に記憶された編集済みのモジュール情報２１を記憶手段２５０のモジュール記憶領域に記憶されるモジュールテーブル２０に記憶して、モジュールテーブル２０を更新する。
【００９７】
次に、ステップＳ１１０のモジュール編集処理の後、またはステップＳ１０８において利用者の入力手段２２０の入力操作によりモジュール編集をしない旨の情報があることを認識した場合、処理部２７０は、テンプレート情報１１およびモジュール情報２１に基づいて、Ｗｅｂファイルを作成するか否かを判断する（ステップＳ１１１）。すなわち、処理部２７０は、情報認識手段２７１にて、テンプレート編集画面３０やプレビュー画面５０において利用者の入力手段２２０の入力操作によりスタートボタン３１Ａが選択された旨の情報が認識されると、Ｗｅｂファイルを作成すると判断する。
【００９８】
そして、ステップＳ１１１にて、Ｗｅｂファイルを作成すると判断した場合、処理部２７０は、ファイル作成手段２７６にＷｅｂファイルを作成させる制御をする（ステップＳ１１２）。具体的には、ファイル作成手段２７６は、テンプレート情報１１のテンプレートカテゴリ情報１４を認識し、このテンプレートカテゴリ情報１４が一致するテンプレート情報１１を認識する。そして、これらのテンプレート情報１１の配置モジュール情報１７Ｃを参照し、テンプレート情報１１に関連付けられるモジュール情報２１を認識する。この後、ファイル作成手段２７６は、テンプレート情報１１のレイアウト情報１６の配置位置座標情報１７Ｂに基づいて、Ｗｅｂファイルのレイアウト構成を例えばテーブルタグなどにて構築し、このテーブルタグにて形成されるレイアウト窓にモジュール情報２１のモジュール内容情報２５を組み込む。さらに、ファイル作成手段２７６は、認識したテンプレート情報１１において、上記と同様の処理を実施し、モジュール情報２１を組み込み、テンプレート情報１１の数に応じたＷｅｂファイルを一度に作成する。
【００９９】
このステップＳ１１２の後、あるいは、ステップＳ１１１において、Ｗｅｂファイルを作成しない旨の情報が認識された場合、Ｗｅｂファイルやその他の各種情報をサーバ装置３００に送信するか否かを判断する（ステップＳ１１３）。これには、処理部２７０は、テンプレート編集画面３０やプレビュー画面５０において利用者の入力操作によりファイル転送ボタン３１Ｊが選択されたか否かを判断し、ファイル転送ボタン３１Ｊが選択された旨の情報が認識されると利用者がファイル転送を要求していると判断する。
【０１００】
そして、ステップＳ１１３において、ファイル転送ボタン３１Ｊが選択されると、処理部２７０は、ファイル転送手段２７７に所定のＷｅｂファイルをサーバ装置３００に送信する処理を実施する（ステップＳ１１４）。すなわち、処理部２７０のファイル転送手段２７７は、転送先設定情報からサーバ情報を認識し、サーバ装置３００のアドレス情報から接続先のサーバ装置３００を特定する。そして、サーバ利用者情報に基づいて、このサーバ装置３００に認証ＩＤおよび認証パスワードを送信し、サーバ装置３００からアクセスを許可する旨の情報を受信すると、ステップＳ１１２にて作成したＷｅｂファイル、およびＷｅｂファイルを表示させるために必要な画像情報や音声情報、その他各種情報を、通信手段２１０からネットワーク１１０を介して送信する。この際、処理部２７０は、Ｗｅｂファイルや各種情報とともに、初期ディレクトリ情報を送信する。
【０１０１】
この後、処理部２７０は、Ｗｅｂファイルの作成処理を継続する旨の情報を認識したか否か判断する（ステップＳ１１５）。そして、処理部２７０は、情報認識手段２７１にてＷｅｂファイルの作成を終了する旨の情報を認識すると、処理を終了させる。一方、Ｗｅｂファイルの作成処理を継続する旨の情報を認識すると、ステップＳ１０４の処理を実施し、プレビュー画面５０を表示部２３０の表示領域に表示させる処理を実施する。
【０１０２】
次に、情報処理システム１００における受注処理について図１６に基づいて説明する。図１６は、情報処理システム１００の受注処理におけるフローチャートである。
【０１０３】
図１６において、先ず、編集端末装置２００は、図１５のファイル作成処理にて作成したＷｅｂファイルや各種情報をステップＳ１１４の処理にてサーバ装置３００に転送する（ステップＳ２０１）。
【０１０４】
サーバ装置３００は、編集端末装置２００からＷｅｂファイルや各種情報、初期ディレクトリ情報を受信する（ステップＳ２０２）と、受信した初期ディレクトリ情報に基づいて、受信したＷｅｂファイルや各種情報を記憶手段３４０の所定の記憶領域に記憶する。
【０１０５】
次に、サーバ装置３００のＣＰＵ３５０は、Ｗｅｂ処理手段３５１にステップＳ２０２にて受信して記憶手段３４０に記憶されたＷｅｂファイルを、ネットワーク１１０を介して閲覧可能な状態にネットワーク１１０に公開する（ステップＳ２０３）。そして、サーバ装置３００のＷｅｂ処理手段３５１は、端末装置４００や編集端末装置２００からの閲覧を要求する旨の要求情報を認識すると、この要求情報に応じてＷｅｂファイルを端末装置４００や編集端末装置２００に送信する。
【０１０６】
一方、端末装置４００は、注文者の入力操作部の入力操作により所定のＷｅｂファイルを閲覧する旨の入力信号が処理装置に入力されると、送受信部を制御してサーバ装置３００の所定の記憶領域からステップＳ２０３にてネットワーク１１０に公開されるＷｅｂファイルを取得する。そして、端末装置４００の処理装置はＷｅｂ閲覧クライアントソフトウェアを展開して、取得したＷｅｂファイルを端末表示部の表示領域に図１０ないし図１２に示すようなＷｅｂ画面として表示する（ステップＳ２０４）。
【０１０７】
ここで、端末装置４００の端末表示部に表示される図１０に示すようなＷｅｂトップ画面７０において、端末装置４００を操作する注文者が所定の商品の詳細を閲覧する旨の情報をサーバ装置３００に送信すると、サーバ装置３００は、図１１に示すようなＷｅｂ商品説明画面８０を表示可能なＷｅｂファイルを端末装置４００に送信する。さらに、端末装置４００の処理装置は、注文者の入力操作部の入力操作により例えばＷｅｂ商品説明画面８０における「カートに入れる」ボタンを選択されたことを認識すると、所定の商品を購入予定である旨の商品購入予定情報をサーバ装置３００に送信する。これに対して、サーバ装置３００は、商品購入予定情報に基づいて、Ｗｅｂ処理手段３５１にて、選択された商品の合計購入金額を算出する演算処理を実施させる。そして、サーバ装置３００は、演算した合計購入金額を表示させる旨のＷｅｂファイルを端末装置４００に送信する。さらに、端末装置４００の処理装置は、受信したＷｅｂファイルに基づいて、図１２に示すようなＷｅｂ商品購入画面９０を端末表示部に表示させ、注文者に受注情報の設定入力を促す案内表示を表示させる。そして、注文者の入力設定により受注情報を認識すると、端末装置４００は、この受注情報をサーバ装置３００に送信する（ステップＳ２０５）。
【０１０８】
サーバ装置３００は、ステップＳ２０５にて端末装置４００から送信された受注情報を受信する（ステップＳ２０６）と、ＣＰＵ３５０の受注処理手段３５２を制御して、受信した受注情報を記憶手段３４０の所定の受注記憶領域に適宜読み出し可能に記憶する。この際、受注情報が送信された端末装置４００を特定する固有情報、例えばＩＰアドレスなどをともに記憶する。また、サーバ装置３００の処理部３５０は、受信した受注情報に連絡先のメールアドレスが記録されていると認識した場合、メール連絡手段３５３を制御して、認識したメールアドレス宛に受注情報を受信した旨の連絡情報を送信する。さらに、メール連絡手段３５３は、編集端末装置２００に受注情報を受信した旨の連絡情報を送信する。
【０１０９】
一方、編集端末装置２００は、表示部２３０の表示領域にテンプレート編集画面３０やプレビュー画面５０などを表示させている際に、利用者の入力操作によりダウンロードボタン３１Ｋが選択された旨の情報を認識する（ステップＳ２０７）と、転送先設定情報から所定のサーバ装置３００に対応するサーバ情報を読み込む。また、処理部２７０のファイル転送手段２７７は、このサーバ情報に基づいて、所定のサーバ装置３００に認証ＩＤおよび認証パスワードを送信し、サーバ装置３００にアクセスし、受注情報を受信する旨の要求情報をサーバ装置３００に送信する。これに対して、サーバ装置３００は、インターフェース３１０を制御して、所定の受注情報を編集端末装置２００に送信する処理をする（ステップＳ２０８）。また、サーバ装置３００は、受注情報を編集端末装置２００に送信すると、送信した受注情報を記憶手段３４０から削除する。なお、編集端末装置２００の利用者による入力操作による受注情報の削除を要求する要求情報を受信した場合のみ、受注情報を削除する処理をしてもよい。
【０１１０】
そして、編集端末装置２００は、サーバ装置３００から送信された受注情報を受信すると（ステップＳ２０９）、表示制御手段２７３に表示部２３０を制御させて、図９に示すような受注管理画面６０を表示させる。この後、利用者の入力操作により、受注情報を編集する旨の入力信号を認識すると、処理部２７０の受注操作手段２７８は、適宜受注情報の受注状態などを変更する処理をする（ステップＳ２１０）。
【０１１１】
〔情報処理システムの作用効果〕
上述したように、上記一実施の形態の情報処理システム１００の編集端末装置２００では、ファイル作成手段２７６は、テンプレート情報１１の配置モジュール情報１７Ｃと関連付けられるモジュール情報２１を認識して、このテンプレート情報１１の配置座標位置に対応する座標位置に関連付けられたモジュール情報２１のモジュール内容情報２５が組み込んだＷｅｂファイルを生成する。このため、予め用意されたモジュール情報２１を用いて容易にＷｅｂファイルを作成することができる。したがって、例えば複数のＷｅｂファイルに用いられる一部、例えばタイトル名などを変更したい場合、変更したい箇所に相当するモジュール情報２１のモジュール内容情報２５を編集し、編集されたモジュール情報２１をテンプレート情報１１に組み込んだＷｅｂファイルを作成するだけでよい。よって、従来のように、複数のＷｅｂファイルのそれぞれに対して同様の編集を繰り返し実施する必要がなく、テンプレート編集画面３０やプレビュー画面５０のスタートボタン３１Ａを例えばマウスでクリックしたりして選択するだけで容易にＷｅｂファイルを作成することができる。
【０１１２】
また、従来のＷｅｂファイルにおけるフレーム構造では、複数のＷｅｂファイルをフレームのそれぞれにリンクさせて表示させるため、例えばＷｅｂファイル内のテキスト文書の一部を検索するいわゆるロボット型検索エンジンが、フレームに表示される複数のＷｅｂファイルのうち１つのＷｅｂファイルしか検索できない。したがって、例えばＷｅｂページにて店舗の宣伝をしたい場合や、ネットワーク１１０上で商品の売買を実施するいわゆるネットショップを開きたい場合において、このようなフレーム構造のＷｅｂページでは、ロボット型検索エンジンで一部が検索されなかったりする虞がある。これに対して、上記実施の形態の編集端末装置２００のファイル作成手段２７６は、テンプレート情報１１の配置位置情報１７に基づいて、複数のモジュール情報２１の内容をレイアウト枠に組み込んで１つのＷｅｂファイルを作成する。このため、Ｗｅｂファイル内に記載されるテキスト文書のすべてをロボット型検索エンジンの検索対象にすることができる。したがって、ロボット型検索エンジンなどによりＷｅｂファイルの効果的な宣伝を実施することができる。
【０１１３】
さらに、ファイル作成手段２７６は、複数のテンプレート情報１１、およびこれらのテンプレート情報１１の配置モジュール情報１７Ｃに関連付けられるモジュール情報２１から、複数のテンプレート情報１１に対応する複数のＷｅｂファイルを一度に作成する。このため、各テンプレート情報１１に対応するＷｅｂファイルを１つ１つ作成する手間が省ける。したがって、テンプレート編集画面３０やプレビュー画面５０のスタートボタン３１Ａを選択するだけで容易に複数のＷｅｂファイルが一度に作成できる。よって、利用者の手作業の負荷を軽減でき、より早く快適にＷｅｂファイルの作成作業ができる。
【０１１４】
そして、テンプレート情報１１の配置モジュール情報１７Ｃには、複数のモジュール情報２１が関連付けられていてもよい。このような構成にすることで、ファイル作成手段２７６は、レイアウト枠３４Ａに複数のモジュール情報２１のモジュール内容情報２５を組み込んだＷｅｂファイルを作成できる。したがって、各モジュール情報２１が配置される位置に対応してテンプレート情報１１に設定される配置位置情報１７を設ける必要がないので、複雑なレイアウト構成のＷｅｂファイルも容易に作成することができる。
【０１１５】
また、テンプレート編集手段は、情報認識手段２７１が例えばマウスなどの入力手段２２０が操作されてモジュール一覧部３６のモジュール名表示部３６Ｃのモジュール名をレイアウト枠３４Ａにドラッグアンドドロップなどして移動されたことを認識すると、配置モジュール情報１７Ｃにドラッグアンドドロップされたモジュール名に対応するモジュール情報２１を関連付ける。このため、利用者は単純な作業で容易に配置モジュール情報１７Ｃにモジュール情報２１を関連付けさせることができる。よって、Ｗｅｂファイルの作成がより容易に実施できる。
【０１１６】
さらに、表示制御手段２７３は、ファイル作成手段２７６にて生成したＷｅｂファイルをプレビュー画面５０として表示する。このため、利用者は生成したＷｅｂファイルを容易に確認することができ、また編集した箇所の確認も容易に実施できる。したがって、利用者のＷｅｂ作成作業を効果的に支援することができる。
【０１１７】
また、表示制御手段２７３は、テンプレート編集画面３０において、表示領域を３分割して、左側の一覧部３２にテンプレート一覧表示部３２Ａを表示させ、右側にモジュール一覧部３６を表示させ、中央表示部３４にレイアウト枠３４Ａ、画面構成情報３４Ｃ、
テンプレート名３４Ｄ、モジュール配置削除ボタン３４Ｅ、およびレイアウト変更ボタン３４Ｆ、などを表示させる。このため、利用者は、中央表示部３４に表示されるテンプレート情報１１をテンプレート一覧表示部３２Ａにて容易に確認でき、中央表示部３４のレイアウト枠３４Ａに関連付けられるモジュール情報２１をモジュール一覧部３６にて容易に確認できる。さらに、このモジュール一覧部３６に表示されたモジュール名表示部３６Ｃをレイアウト枠３４Ａにドラッグアンドドロップなどして移動させるだけで、容易にテンプレート情報１１の配置モジュール情報１７Ｃにモジュール情報２１を関連付けさせることができる。したがって、利用者が視認しやすく、操作しやすい画面を表示させることができ、利用者のＷｅｂファイル作成の作業をより効果的に支援することができる。
【０１１８】
さらに、表示制御手段２７３は、プレビュー画面５０において、表示領域を３分割して、左側の一覧部にサイトマップ５１を表示させ、右側にモジュール一覧部３６を表示させ、中央表示部３４にプレビュー情報５３を表示させる。このため、サイトマップ上に表示されるＷｅｂファイルを選択することで容易にそのＷｅｂファイルのプレビューが閲覧できる。したがって、利用者が視認しやすく、操作しやすい画面を表示させることができる。
【０１１９】
そして、ファイル作成手段２７６は、ＨＴＭＬ形式のＷｅｂファイルを作成する。このため、Ｗｅｂページとして一般的で、容易に作成可能なＨＴＭＬを用いるので、作成のための処理負荷を軽減できる。また、このようなＨＴＭＬでは、テーブルタグにより容易にテーブル構造を作成でき、Ｗｅｂページのレイアウト構造を容易に作成できる。さらに、ＨＴＭＬを用いることで、利用者が容易に内容を理解することができるので、容易にＨＴＭＬにて記述されたＷｅｂファイルを直接編集することもできる。したがって、例えばより高度な命令タグ情報を用いたいときなどにおいて、利用者はＨＴＭＬのＷｅｂファイルを容易に編集でき、利用者が所望するデザインのＷｅｂファイルを作成することができる。
【０１２０】
また、サーバ装置３００は、端末装置４００から受注情報を受信すると、受信した受注情報に記録されるメールアドレス宛に、受注情報を受信した旨の情報を自動返信メールにて送信する。このため、端末装置４００を使用する注文者は、受注情報が受理されたことが確認できる。したがって、注文者は安心してネットワーク１１０を介して売買することができ、ネットショップの信用を上げることができる。
【０１２１】
さらに、サーバ装置３００は、端末装置４００から受注情報を受信すると、編集端末装置２００、または利用者の連絡メールアドレス宛に受注情報を受信した旨の情報を送信する。このため、利用者は、注文者から注文があったことをすぐに確認でき、注文に対する迅速な対応ができる。
【０１２２】
〔実施形態の変形〕
なお、本発明は、上述した一実施の形態に限定されるものではなく、本発明の目的を達成できる範囲で以下に示される変形をも含むものである。
【０１２３】
すなわち、上記実施の形態では、編集端末装置２００は、ネットショップのＷｅｂページを作成する例を示したが、これに限定されない。例えば、上記したように、個人用のＷｅｂページやサークル活動のＷｅｂページなど、あらゆるＷｅｂページの作成に利用可能である。
【０１２４】
また、作成されるＷｅｂページは、上記したようにＨＴＭＬに限られず、ＸＭＬなどの他の言語にて記述されていてもよい。
【０１２５】
さらに、ファイル作成手段２７６にてＷｅｂファイルが作成された後、情報認識手段２７１にて利用者の入力手段２２０の入力操作により、Ｗｅｂファイルをサーバ装置３００に転送する旨の情報が認識されると、ファイル転送手段２７７は、Ｗｅｂファイルをサーバ装置３００に転送する処理をしたが、これに限定されない。例えば、ファイル作成手段２７６にてＷｅｂファイルが作成されると同時にサーバ装置３００に転送する構成としてもよい。
【０１２６】
また、サーバ装置３００がファイル作成手段を有する構成としてもよい。このような構成では、編集端末装置２００は、ファイル転送手段２７７にてテンプレート情報１１およびこのテンプレート情報１１の配置モジュール情報１７Ｃにて関連付けられるモジュール情報２１をサーバ装置３００に転送する。そして、サーバ装置３００は、転送されたテンプレート情報１１およびモジュール情報２１に基づいて、テンプレート情報１１に応じたＷｅｂファイルを作成し、所定の記憶領域に記憶する。この構成でも、テンプレート情報１１およびモジュール情報２１を作成するだけで、Ｗｅｂファイルはサーバ装置３００にて自動的に作成されるので、利用者が各Ｗｅｂファイルを編集する必要がなく、容易にＷｅｂファイルを作成することができる。
【０１２７】
そして、上記実施の形態では、ファイル作成手段２７６は、テンプレートカテゴリ情報１４の内容が同一のテンプレート情報１１、およびこれらのテンプレート情報１１の配置モジュール情報１７Ｃに関連付けられるモジュール情報２１に基づいて、これらのテンプレート情報１１に対応したＷｅｂファイルを作成する構成を示したが、これに限られない。例えば、既存のＷｅｂファイルのモジュール情報２１を編集した場合、ファイル作成手段２７６は、編集したモジュール情報２１が関連付けられる配置モジュール情報１７Ｃを有するテンプレート情報１１を認識し、これらの認識したテンプレート情報１１に対応するＷｅｂファイルを作成する構成としてもよい。このような構成では、更新されたモジュール情報２１に対応するテンプレート情報１１に対応するＷｅｂファイルのみ生成するので、処理負荷を軽減させることができ、Ｗｅｂ生成の処理時間も短縮させることができる。
【０１２８】
また、同様に、ファイル作成手段２７６は、テンプレート編集手段２７４にて編集されたテンプレート情報１１に対応するＷｅｂファイルを生成する構成としてもよい。この場合も、上記と同様に、処理負荷の軽減およびＷｅｂ生成の処理時間の短縮を図ることができる。
【０１２９】
また、表示制御手段２７３は、テンプレート編集画面３０およびプレビュー画面５０において、表示領域を３分割して一覧部３２と中央表示部３４とモジュール一覧部３６とに分けて表示する構成と示したが、これに限らない。例えば、一覧部３２、およびモジュール一覧部３６を別窓にて表示させる構成としてもよく、さらに、一覧部３２、中央表示部３４およびモジュール一覧部３６を例えば画面切替タブなどにより切り替えて表示可能な構成としてもよい。
【０１３０】
また、上気したように、ファイル転送手段２７７は、受注情報に限らず、サーバ装置３００に記憶されるＷｅｂファイルを受信する構成としてもよい。
【０１３１】
さらに、ファイル転送手段２７７にて転送された受注情報を受注操作手段２７８にて編集処理することが可能な構成を示したが、これに限らない。例えば個人のＷｅｂページを作成する場合などにおいて、ファイル転送手段２７７にて掲示板のログファイルやチャットのログファイルなどをダウンロードし、受注操作手段２７８は、これらのログファイルの内容を表示させたり、編集したりする構成としてもよい。
【０１３２】
さらに、上記情報処理システム１００では、ステップＳ１０４ないしステップＳ１１５の処理において、一連のＷｅｂファイル生成処理をテンプレート編集処理、モジュール編集処理、Ｗｅｂファイル作成処理、およびアップデート処理の順に実施する例を示したが、これに限らない。例えばプレビュー画面５０が表示された状態で、利用者の設定入力により任意にこれらのテンプレート編集、モジュール編集、Ｗｅｂファイル作成、およびアップデートの処理が実施できる構成としてもよい。このような構成では、モジュール編集処理の後、テンプレート編集処理を実施してもよく、その後さらにモジュール編集処理を実施してもよい。このようにすることで、テンプレートのレイアウトと、レイアウト窓に組み込むモジュールをアレンジしながらＷｅｂファイルのデザインを決定することができる。
【０１３３】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１３４】
その他、本発明の実施の際の具体的な構造および手順は、本発明の目的を達成できる範囲で他の構造などに適宜変更できる。
【０１３５】
〔実施の形態の効果〕
上述したように、上記一実施の形態の情報処理システム１００の編集端末装置２００では、ファイル作成手段２７６は、テンプレート情報１１の配置モジュール情報１７Ｃと関連付けられるモジュール情報２１を認識して、このテンプレート情報１１の配置座標位置に対応する座標位置に関連付けられたモジュール情報２１のモジュール内容情報２５を組み込んだＷｅｂファイルを生成する。このため、予め用意されたモジュール情報２１を用いて容易にＷｅｂファイルを作成することができる。したがって、複数のＷｅｂファイルのそれぞれに対して同様の編集を繰り返し実施する必要がなく、容易にＷｅｂファイルを作成することができる。
【図面の簡単な説明】
【０１３６】
【図１】本発明の一実施の形態に係る情報処理システムの概略構成を示すブロック図である。
【図２】情報処理システムを構成する編集端末装置の概略構成を示すブロック図である。
【図３】テンプレートテーブルの概略構成を示す模式図である。
【図４】モジュールテーブルの概略構成を示す模式図である。
【図５】情報処理装置を構成する処理部の概略構成を示す模式図である。
【図６】表示部に表示されるテンプレート選択画面の一例を示す模式図である。
【図７】表示部に表示されるモジュール編集画面の一例を示す模式図である。
【図８】表示部に表示されるプレビュー画面の一例を示す模式図である。
【図９】表示部に表示されるＷｅｂ商品受注画面の一例を示す模式図である。
【図１０】情報処理装置にて作成されたＷｅｂファイルを表示部にて閲覧した際のＷｅｂトップ画面の一例を示す模式図である。
【図１１】図１０において商品が選択された際に表示部に表示されるＷｅｂ商品説明画面の一例を示す模式図である。
【図１２】図１１において商品の購入が選択された際に表示部に表示されるＷｅｂ商品購入画面の一例を示す模式図である。
【図１３】情報処理システムを構成するサーバ装置の概略構成を示すブロック図である。
【図１４】サーバ装置を構成するサーバ処理部の概略構成を示すブロック図である。
【図１５】Ｗｅｂファイルの作成処理を示すフローチャートである。
【図１６】情報処理システム１００の受注処理におけるフローチャートである。
【符号の説明】
【０１３７】
１１   テンプレート情報
１７Ｂ 位置座標情報としての配置位置座標情報
１７Ｃ 組込枠情報としての配置モジュール情報
２１   内容情報としてのモジュール情報
３２   テンプレート一覧表示画像としての一覧部
３４   テンプレート表示画面としての中央表示部
３４Ａ 情報組込枠としてのレイアウト枠
３６   モジュール一覧表示画像としてのモジュール一覧部
５３   コンテンツ表示画像としてのプレビュー情報
１００ 情報処理システム
２００ 情報処理装置、および編集装置としても機能する編集端末装置
２２０ 操作手段としての入力手段
２３０ 表示手段としての表示部
２７１ 内容情報認識手段、テンプレート認識手段としても機能する情報認識手段
２７３ 表示制御手段
２７４ 情報関連付け手段、およびテンプレート編集手段としても機能するテンプレート編集手段
２７５ 内容情報編集手段としてのモジュール編集手段
２７６ 情報生成手段としてのファイル作成手段
３００ サーバ装置
３４０ 記憶手段
【図１】
2006293763.tif 000003
【図２】
2006293763.tif 000004
【図３】
2006293763.tif 000005
【図４】
2006293763.tif 000006
【図５】
2006293763.tif 000007
【図６】
2006293763.tif 000008
【図７】
2006293763.tif 000009
【図８】
2006293763.tif 000010
【図９】
2006293763.tif 000011
【図１０】
2006293763.tif 000012
【図１１】
2006293763.tif 000013
【図１２】
2006293763.tif 000014
【図１３】
2006293763.tif 000015
【図１４】
2006293763.tif 000016
【図１５】
2006293763.tif 000017
【図１６】
2006293763.tif 000018